(57)【要約】無線デバイス（１１０）による方法は、セミパーシステントスケジューリング（ＳＰＳ）解放に関連付けられるハイブリッド自動再送要求確認応答（ＨＡＲＱ−ＡＣＫ、ビット）を生成するために提供される。この方法は、ＳＰＳ解放がセルのために設定されたコードブックグループ（ＣＢＧ）フィードバックを有するセルに関連付けられることを決定することを含む。ＳＰＳ解放に関連する少なくとも１つのＨＡＲＱ−ＡＣＫビットは、コードブックのトランスポートブロックベースのサブコードブック内に配置される。【選択図】図１８
2021536147.tif 000002
【特許請求の範囲】
【請求項１】
セミパーシステントスケジューリング（ＳＰＳ）解放に関連付けられるハイブリッド自動再送要求確認応答（ＨＡＲＱ−ＡＣＫ）ビットを生成するための無線デバイス（１１０）による方法であって、
ＳＰＳ解放が、セルにのために設定されたコードブックグループ（ＣＢＧ）フィードバックを有する前記セルに関連付けられていることを決定することと、
前記ＳＰＳ解放に関連付けられている少なくとも１つのＨＡＲＱ−ＡＣＫビットを、コードブックのトランスポートブロックベースのサブコードブック内に配置することを含む、方法。
【請求項２】
前記コードブックは、前記コードブックのＣＢＧベースのサブコードブックをさらに含む、請求項１に記載の方法。
【請求項３】
ＳＰＳ解放毎に少なくとも１つのＨＡＲＱ−ＡＣＫビットを生成することをさらに含む、請求項１または２に記載の方法。
【請求項４】
前記ＳＰＳ解放が、前記セルのために設定されたＣＢＧフィードバックを有する前記セルに関連付けられていることを決定することは、
ネットワークノード（１６０）から、前記セルためのＣＢＧフィードバックのために前記無線デバイスを設定する第１のメッセージを受信することと、
前記ネットワークノードから、前記ＳＰＳ解放が前記セルに関連付けられていることを示す第２のメッセージを受信することを含む、請求項１から３のいずれか１項に記載の方法。
【請求項５】
前記ＳＰＳ解放に基づいて更新される、ダウンリンク割り当てインデックス（ＤＡＩ）をネットワークノードから受信することをさらに含む、請求項１から４のいずれか１項に記載の方法。
【請求項６】
物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けることをさらに含み、前記ＰＤＣＣＨは、前記ＳＰＳ解放を搬送するＰＤＣＣＨである、請求項１から５のいずれか１項に記載の方法。
【請求項７】
前記少なくとも１つのＨＡＲＱ−ＡＣＫビットは、予約ビットの設定されたおよび/または予め定義された値を含む、請求項１から６のいずれか１項に記載の方法。
【請求項８】
コンピュータ上で実行されると、請求項１から７のいずれか１項に記載の方法を実行する命令を含むコンピュータプログラム。
【請求項９】
コンピュータプログラムを含むコンピュータプログラム製品であって、前記コンピュータプログラムは、コンピュータ上で実行されると、請求項１から７のいずれか１項に記載の方法を実行する命令を含む、コンピュータプログラム製品。
【請求項１０】
コンピュータによって実行されると、請求項１から７のいずれか１項の方法を実行する命令を記憶する非一時的なコンピュータ可読媒体。
【請求項１１】
セミパーシステントスケジューリング（ＳＰＳ）解放に関連付けられるハイブリッド自動再送要求確認応答（ＨＡＲＱ−ＡＣＫ）ビットを生成するための無線デバイス（１１０）であって、
ＳＰＳ解放が、セルにのために設定されたコードブックグループ（ＣＢＧ）フィードバックを有する前記セルに関連付けられていることを決定し、
前記ＳＰＳ解放に関連付けられている少なくとも１つのＨＡＲＱ−ＡＣＫビットを、コードブックのトランスポートブロックベースのサブコードブック内に配置する、
ように構成された処理回路（１２０）を有する、無線デバイス。
【請求項１２】
前記コードブックは、前記コードブックのＣＢＧベースのサブコードブックをさらに含む、請求項１１に記載の無線デバイス。
【請求項１３】
前記処理回路は、ＳＰＳ解放毎に少なくとも１つのＨＡＲＱ−ＡＣＫビットを生成するようにさらに構成される、請求項１１または１２に記載の無線デバイス。
【請求項１４】
前記ＳＰＳ解放が、前記セルのために設定されたＣＢＧフィードバックを有する前記セルに関連付けられていると決定するとき、前記処理回路は、
ネットワークノード（１６０）から、前記セルのためのＣＢＧフィードバックのために前記無線デバイスを設定する第１のメッセージを受信し、
前記ネットワークノードから、前記ＳＰＳ解放が前記セルに関連付けられていることを示す第２のメッセージを受信するように構成される、請求項１１から１３のいずれか１項に記載の無線デバイス。
【請求項１５】
前記処理回路は、前記ＳＰＳ解放に基づいて更新される、ダウンリンク割り当てインデックス（ＤＡＩ）をネットワークノードから受信するようにさらに構成される、請求項１１から１４のいずれか１項に記載の無線デバイス。
【請求項１６】
前記処理回路は、物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けるようにさらに構成され、前記ＰＤＣＣＨは、前記ＳＰＳ解放を搬送するＰＤＣＣＨである、請求項１１から１５のいずれか１項に記載の無線デバイス。
【請求項１７】
前記少なくとも１つのＨＡＲＱ−ＡＣＫビットは、予約ビットの設定されたおよび/または予め定義された値を含む、請求項１１から１６のいずれか１項に記載の無線デバイス。
【請求項１８】
セミパーシステントスケジューリング（ＳＰＳ）解放に関連付けられたハイブリッド自動再送要求確認応答（ＨＡＲＱ−ＡＣＫ）ビットを受信するためのネットワークノード（１６０）による方法であって、
セルのためのコードブックグループ（ＣＢＧ）フィードバックのために無線デバイスを設定する第１のメッセージを無線デバイス（１１０）に送信することと、
前記ＳＰＳ解放が前記セルに関連付けられていることを示す第２のメッセージを前記無線デバイスに送信することと、
前記無線デバイスから、コードブックのＴＢベースのサブコードブック内で前記ＳＰＳ解放に関連付けられている少なくとも１つのＨＡＲＱ−ＡＣＫビットを受信することを含む、方法。
【請求項１９】
前記コードブックは、前記コードブックのＣＢＧベースのサブコードブックをさらに含む、請求項１８に記載の方法。
【請求項２０】
前記少なくとも１つのＨＡＲＱ−ＡＣＫビットは、ＳＰＳ解放毎である、請求項１８または１９に記載の方法。
【請求項２１】
前記ＳＰＳ解放のインジケーションと共に、前記ＳＰＳ解放に基づいて更新される、ダウンリンク割り当てインデックス（ＤＡＩ）を無線デバイスに送信することをさらに含む、請求項１８から２０のいずれか１項に記載の方法。
【請求項２２】
物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けることをさらに含む、請求項１８から２１のいずれか１項に記載の方法。
【請求項２３】
前記少なくとも１つのＨＡＲＱ−ＡＣＫビットは、予約ビットの設定されたおよび/または予め定義された値を含む、請求項１８から２２のいずれか１項に記載の方法。
【請求項２４】
コンピュータ上で実行されると、請求項１８から２３のいずれか１項に記載の方法を実行する命令を含むコンピュータプログラム。
【請求項２５】
コンピュータプログラムを含むコンピュータプログラム製品であって、前記コンピュータプログラムは、コンピュータ上で実行されると、請求項１８から２３のいずれか１項に記載の方法を実行する命令を含む、コンピュータプログラム製品。
【請求項２６】
コンピュータによって実行されると、請求項１８から２３のいずれか１項に記載の方法のいずれかを実行する命令を記憶する非一時的なコンピュータ可読媒体。
【請求項２７】
セミパーシステントスケジューリング（ＳＰＳ）解放に関連付けられたハイブリッド自動再送要求確認応答（ＨＡＲＱ−ＡＣＫ）ビットを受信するためのネットワークノード（１６０）であって、
セルのためのコードブックグループ（ＣＢＧ）フィードバックのために無線デバイスを設定する第１のメッセージを無線デバイス（１１０）に送信し、
前記ＳＰＳ解放が前記セルに関連付けられていることを示す第２のメッセージを前記無線デバイスに送信し、
前記無線デバイスから、コードブックのＴＢベースのサブコードブック内で前記ＳＰＳ解放に関連付けられている少なくとも１つのＨＡＲＱ−ＡＣＫビットを受信する、
ように構成された処理回路（１７０）を有する、ネットワークノード。
【請求項２８】
前記コードブックは、前記コードブックのＣＢＧベースのサブコードブックをさらに含む、請求項２７に記載のネットワークノード。
【請求項２９】
前記少なくとも１つのＨＡＲＱ−ＡＣＫビットは、ＳＰＳ解放毎である、請求項２７または２８に記載のネットワークノード。
【請求項３０】
前記処理回路は、前記ＳＰＳ解放のインジケーションと共に、前記ＳＰＳ解放に基づいて更新される、ダウンリンク割り当てインデックス（ＤＡＩ）を無線デバイスに送信するように構成される、請求項２７から２９のいずれか１項に記載のネットワークノード。
【請求項３１】
前記処理回路は、物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けるように構成される、請求項２７から３０のいずれか１項に記載のネットワークノード。
【請求項３２】
前記少なくとも１つのＨＡＲＱ−ＡＣＫビットは、予約ビットの設定されたおよび/または予め定義された値を含む、請求項２７から３１のいずれか一項に記載のネットワークノード。
【発明の詳細な説明】
【背景技術】
【０００１】
高速パケットアクセス（ＨＳＰＡ）、ロングタームエボリューション（ＬＴＥ）、および５Ｇ Ｎｅｗ Ｒａｄｉｏ（ＮＲ）などの最新の無線通信システムは、それらの媒体アクセス制御（ＭＡＣ）レイヤにおいてハイブリッド自動再送要求（ＨＡＲＱ）プロトコルを使用する。ＨＡＲＱプロトコルは、送信の信頼性を高めるために使用される。
【０００２】
このシステムでは、ユーザ装置（ＵＥ）が物理ダウンリンク制御チャネル（ＰＤＣＣＨ）によってダウンリンクデータ送信をネットワークによって通知される。特定のサブフレームｎにおいてＰＤＣＣＨを受信すると、ＵＥは対応する物理ダウンリンク共有チャネル（ＰＤＳＣＨ）を復号し、後続のサブフレームｎ+ｋにおいて確認応答/否定応答（ＡＣＫ（acknowledgement）/ＮＡＣＫ（not acknowledgement））フィードバックを送信する必要がある。ＡＣＫ/ＮＡＣＫフィードバックは、対応するＰＤＳＣＨが正しく復号されたかどうかをｅＮｏｄｅＢに通知する。ｅＮｏｄｅＢは、ＡＣＫフィードバックを検出すると、新しいデータブロックをＵＥに送信することに進むことができる。ｅＮｏｄｅＢによってＮＡＣＫが検出されると、元のデータブロックに対応する符号化ビットが再送信される。再送信が以前に送られた符号化ビットの繰り返しに基づいているとき、それはチェース合成ＨＡＲＱプロトコルで動作していると言われる。再送に、以前の送信試行で使用されていない符号化ビットが含まれる場合、それは、インクリメンタルリダンダンシＨＡＲＱプロトコルで動作していると言われる。
【０００３】
キャリアアグリゲーションでは、１つのＵＥに対して複数のコンポーネントキャリアが構成される。コンポーネントキャリアは、いわゆる物理アップリンク制御チャネル（ＰＵＣＣＨ）グループに構成することができる。ＰＵＣＣＨグループのすべてのコンポーネントキャリアのためのＨＡＲＱフィードバックは、物理アップリンク共有チャネル（ＰＵＳＣＨ）上のＰＵＣＣＨまたはＵＣＩを使用して、同じＵＬ上で送信される。
【０００４】
単一のＰＵＣＣＨで報告されるべきＡＣＫ/ＮＡＣＫビットは、ＨＡＲＱコードブックに配置される。ＨＡＲＱコードブックには、同じまたは異なるコンポーネントキャリアおよび１つ以上の時間インスタンスからのＡＣＫ/ＮＡＣＫビットを含めることができる。ＮＲは、ミニスロットと、１つのキャリア上での複数の数値の混合とを定義し、両方の特徴は、ＨＡＲＱコードブック設計を複雑にする不規則な送信タイミングにつながる可能性がある。ＮＲはまた、トランスポートブロックのコードブロックのグループごとにＨＡＲＱフィードバックを導入し、これは、コードブロックグループ（ＣＢＧ）フィードバックと呼ばれる特徴である。ＣＢＧサイズは、ＣＢＧごとに１つのコードブロックからトランスポートブロックごとに１つのＣＢＧまでの範囲にわたることができる（ＬＴＥと同じ）。ＣＢＧベースのＨＡＲＱフィードバックは、ＨＡＲＱフィードバック信号の量を実質的に増加させることができる。
【０００５】
半静的に構成されたＨＡＲＱコードブックでは、少なくともコンポーネントキャリア次元のビット数が典型的には固定される。ＵＥは任意のコンポーネントキャリア上で少なくとも１つのＤＬ割り当てを検出するとすぐに、すべての構成されたまたはアクティブ化されたコンポーネントキャリアのＨＡＲＱフィードバックを含むフィードバックビットマップを準備する。ＤＬ割り当てが検出されなかったコンポーネントキャリアのフィードバックは、ＮＡＣＫに設定される。１つのコンポーネントキャリアに必要なフィードバックビット数は、そのＭＩＭＯ構成とそのＣＢＧ構成によって与えられる。全ての構成された/アクティブ化されたコンポーネントキャリアに必要とされるＨＡＲＱフィードバックビットの数は、コンポーネントキャリア毎に必要とされるフィードバックビットの、全ての構成された/アクティブ化されたコンポーネントキャリアにわたる和である。
【０００６】
時間領域におけるエントリの数はまた、固定されることができ、またはフィードバックは、少なくとも１つのＤＬ割り当てが（構成された/アクティブ化されたコンポーネントキャリアのいずれかにおいて）検出される時間インスタンスについてのみ報告される。後者の場合、ダウンリンク割り当てインデックス（ＤＡＩ）は、失敗したＤＬ割り当てから保護するために必要とされる。ＤＡＩは、優先されるすべてのＤＬ割り当てに含まれ、現在のスロットまで（含む）にスケジュールされた時間インスタンス（スロットなど）の数を含む。
【０００７】
半静的に構成されたＨＡＲＱコードブックは単純であり、ロバストであるが、特に、多くのコンポーネントキャリアが存在し、それらの全てがスケジュールされているわけではなく、および/またはいくつかのコンポーネントキャリアがＣＢＧを用いて構成されている場合に、高いオーバーヘッドにつながり得る。
【０００８】
ＬＴＥ Ｒｅｌ−１３は、非常に多数のアグリゲーションされたコンポーネントキャリアをサポートする。半静的に構成された（コンポーネントキャリア次元で）ＨＡＲＱコードブックはそれが以前のキャリアアグリゲーションで使用されたように、半静的に構成されたＨＡＲＱコードブックのために、常にすべての構成された/アクティブ化されたコンポーネントキャリアのフィードバックが含まれるので、準最適である。多数の構成/アクティブ化されているが、スケジュールされたコンポーネントキャリアがほんのわずかである場合、ＨＡＲＱコードブックサイズは不必要に大きくなる。
【０００９】
Ｒｅｌ−１３では、動的ＨＡＲＱコードブック（コンポーネントキャリアと時間次元の両方）が導入された。ここで、各ＤＬ割り当て（典型的には、ＤＬ割り当てはＤＣＩにおいて搬送される）がカウンタおよび総（トータル）ＤＡＩフィールドを含む。カウンタＤＡＩフィールドは、現在のＨＡＲＱコードブックについてこれまでにスケジュールされた（現在のＤＬ割り当てを含む）ＤＬ割り当ての数をカウントする。コンポーネントキャリアは（例えば、キャリア周波数に従って）順序付けられ、カウンタＤＡＩは、この順序でＤＬ割り当てをカウントする。時間軸に沿って、カウンタＤＡＩはリセットされず、スロット境界で連続的に増加される。各ＤＬ割り当てにおける合計ＤＡＩは、現在のＨＡＲＱコードブックに対してこれまでにスケジュールされたＤＬ割り当ての総数（現在のスロットを含む）に設定される。したがって、スロットにおける合計ＤＡＩは、スロットの最高カウンタＤＡＩに設定される。オーバーヘッドを節約するために、モジュロ演算（多くの場合、ｍｏｄ ２）が、カウンタおよび合計ＤＡＩに適用されることが多く、合計ＤＡＩは数ビット、例えば、ｍｏｄ−２に対して２ビットで表すことができる。カウンタ/合計ＤＡＩメカニズムは少数の連続するＤＬ割り当てが失われた場合に、受信機がＨＡＲＱコードブックサイズを回復すること、ならびにＨＡＲＱコードブックにインデックスを付けることを可能にする。図１は、カウンタおよび合計ＤＡＩの一例を示す。簡潔にするために、モジュロ演算は、図示では適用されていない。
【００１０】
ＰＵＣＣＨは、ＡＣＫ/ＮＡＣＫ（ＨＡＲＱに関連するフィードバック）、ＵＣＩ、ＳＲ、またはビーム関連情報を搬送することができる。
【００１１】
ＮＲは、様々な異なるＰＵＣＣＨフォーマットを定義する。高レベルでは、利用可能なＰＵＣＣＨフォーマットがショート（短い）ＰＵＣＣＨフォーマットとロング（長い）ＰＵＣＣＨフォーマットとにグループ化することができる。
【００１２】
ショートＰＵＣＣＨは、それぞれ≦２ビットおよび＞２ビットに対する特徴を含む。ショートＰＵＣＣＨは、スロット内の任意のシンボルにおいて構成されうる。スロットベースの送信ではスロット間隔の終わりに向かうショートＰＵＣＣＨが典型的な構成であるが、スロット間隔にわたって、またはスロット間隔内で早期に分散されたＰＵＣＣＨリソースはミニスロットに応答して要求またはＰＵＣＣＨシグナリングをスケジューリングするために使用され得る。
【００１３】
≦２ビットに対するＰＵＣＣＨは、シーケンス選択を使用する。シーケンス選択では、入力ビットは使用可能なシーケンスの１つを選択し、入力情報は選択されたシーケンスによって提示される。例えば、１ビットの場合、２つのシーケンスが必要である。別の例として、２ビットの場合、４つのシーケンスが必要である。このＰＵＣＣＨは、１つまたは２つのシンボルに及ぶことができる。２つのシンボルの場合、同じ情報が潜在的に別のシーケンスのセット（干渉をランダム化するためのシーケンスホッピング）と共に、別の周波数で（周波数ダイバーシチを達成するために）、第２のシンボルで送信される。
【００１４】
＞２ビットに対するＰＵＣＣＨは、１つまたは２つのシンボルを使用する。１つのシンボルの場合、ＤＭ−ＲＳおよびＵＣＩペイロード搬送サブキャリアがインターリーブされる。ＵＣＩペイロードは、（ペイロードに応じて、リード・ミュラー符号またはポーラー符号のいずれかを使用して）符号化されたサブキャリアへの事前マッピングである。２つのシンボルの場合、符号化されたＵＣＩペイロードは両方のシンボルにマッピングされる。２シンボルＰＵＣＣＨの場合、典型的には、符号レートは半分にされ（２シンボルで２倍の符号化ビットが利用可能である）、第２のシンボルは異なる周波数で送信される（周波数ダイバーシチを達成するために）。
【００１５】
ロングＰＵＣＣＨも、≦２ビットおよび＞２ビットに対する２つの特徴を含む。両方の変形は４〜１４の範囲の可変長で存在し、複数のスロットにわたって集約することさえできる。ロングＰＵＣＣＨは、ＰＵＣＣＨの長さに応じて、多かれ少なかれ可能な配置で、スロット内の複数の位置で発生することができる。ロングＰＵＣＣＨは周波数ホッピングの有無に関わらず構成可能であるが、後者は周波数ダイバーシチの利点を持つ。
【００１６】
≦２ビットに対するロングＰＵＣＣＨは、ＤＭ-ＲＳの配置と可変長プロパティが異なることを除いて、ＬＴＥのＰＵＣＣＨフォーマット１ａ/１ｂと似ている。
【００１７】
＞２ビットに対するロングＰＵＣＣＨは、ＤＭ−ＲＳとＵＣＩ搬送シンボルとの間のＴＤＭを使用する。ＵＣＩペイロードは符号化され（ペイロードに応じて、リード・ミュラー符号またはポーラー符号のいずれかを使用して）、変調シンボル（典型的にはＱＰＳＫまたはｐｉ/２ ＢＰＳＫ）にマッピングされ、ＰＡＰＲを低減するためにＤＦＴプリコードされ、ＯＦＤＭ送信のために割り当てられたサブキャリアにマッピングされる。
【００１８】
ＵＥは、同じタイプまたは異なるタイプの複数のＰＵＣＣＨフォーマットで設定できる。ＵＥが１つまたは２つのＤＬ割り当てでのみスケジュールされている場合は、小さなペイロードＰＵＣＣＨフォーマットが必要であり、一方、ＵＥが複数のＤＬ割り当てでスケジュールされている場合は、大きなペイロードフォーマットが必要である。ロングＰＵＣＣＨフォーマットも、より良好なカバレッジのために必要とされる。ＵＥは例えば、≦２ビットに対するショートＰＵＣＣＨと、＞２ビットに対するロングＰＵＣＣＨとで構成されることができる。非常に良好なカバレッジにあるＵＥは、＞２ビットに対するショートＰＵＣＣＨフォーマットを使用することさえでき、一方、あまり良好でないカバレッジにあるＵＥは、≦２ビットに対するロングＰＵＣＣＨフォーマットを必要とする。図２は、ＵＥに設定されたＰＵＣＣＨフォーマットの例を示している。具体的には、図２が複数のロングおよびショートＰＵＣＣＨフォーマットで構成されているＵＥを示す。
【００１９】
ＮＲは、ＰＵＣＣＨリソースおよび時間の動的インジケーション（指示／指標）をサポートする。上記のように、ＰＵＣＣＨによって搬送されるＨＡＲＱコードブックは、（複数の時間インスタンスおよび/またはコンポーネントキャリアからの）複数のＰＤＳＣＨからのＨＡＲＱフィードバックを含むことができる。ＰＵＣＣＨリソースおよび時間は、動的なスケジュールされた送信の場合のスケジューリングＤＬ割り当てにおいて示される。ＰＤＳＣＨとＰＵＣＣＨとの間の関連付けはＰＵＣＣＨリソース（ＰＲ）と、スケジューリングＤＣＩ(ΔＴ）において示される時間とに基づくことができ、スケジューリングＤＣＩが同じＰＵＣＣＨリソースおよび時間を示すすべてのＰＤＳＣＨのＨＡＲＱフィードバックは同じＨＡＲＱコードブックにおいて一緒に報告される。含まれることができる最新のＰＤＳＣＨは、ＵＥがＨＡＲＱフィードバックを準備する必要がある処理時間によって制限される。
【００２０】
図３は、キャリアアグリゲーションを伴わない例示的なＨＡＲＱフィードバックの関連を示す。図３の例では、ＵＥが同じスロットにおけるショートＰＵＣＣＨ上でＨＡＲＱフィードバックを報告することができる。所与のＰＵＣＣＨリソースについてＨＡＲＱコードブックに含めるべき最も早いＰＤＳＣＨは、最後に送信された同じＰＵＣＣＨリソースの時間ウィンドウが満了した後の最初のスケジュールされたＰＤＳＣＨである。例えば、図３ではスロットｎ−１のＰＤＳＣＨが、スロットｎ−１のＰＵＣＣＨリソースｍ上で報告され、したがって、スロットｎからのＰＤＳＣＨは、スロットｎ＋４においてＰＵＣＣＨリソースｍ上で送信されるＨＡＲＱコードブックに含める最初のＰＤＳＣＨである。
【００２１】
誤ったＨＡＲＱコードブックサイズやＨＡＲＱコードブックへの誤ったインデックス付けを回避するために、現在のＤＬ割り当てまでのＤＬ割り当てをカウントするＤＡＩが各ＤＬ割り当てに含まれている（現在のＤＬ割り当てを含む）。キャリアアグリゲーションの場合、上述のようにカウンタおよび合計ＤＡＩが必要とされる。
【００２２】
ＬＴＥおよびＮＲでは、トランスポートブロックがあるサイズを超える場合、トランスポートブロックは複数のコードブロックにセグメント化される。誤り検出のために、各コードブロックおよびトランスポートブロックは、それ自体のＣＲＣを有する。ＬＴＥでは、ＨＡＲＱフィードバックが例えば、トランスポートブロック毎に生成される単一のＨＡＲＱフィードバックビットのような、トランスポートブロックの復号ステータスに基づく。
【００２３】
ＮＲは、この動作モードをサポートする。さらに、ＮＲは、ＣＢＧ ＨＡＲＱフィードバックもサポートする。ここで、１つ以上のコードブロックがＣＢＧにグループ化され、各ＣＢＧに対して１つのＨＡＲＱフィードバックビットが生成される。これは、１つまたは少数のＣＢＧのみが誤っている場合、トランスポートブロックの一部のみが再送信される必要があるので有用である。
【００２４】
しかしながら、現在、ある種の課題が存在する。例えば、ＮＲでは、ＵＥがＣＢＧベースのフィードバックで構成され、さらに、動的ＨＡＲＱ−ＡＣＫコードブックで構成される（または３８．２１３ ９．３においてタイプ２コードブックとしても知られ得る）ときに、セミパーシステント（半永続的）スケジューリング（ＳＰＳ）の解放（リリース／解除）をどのように扱うかについての動作は未定義である。
【発明の概要】
【００２５】
本明細書では、上述の問題のうちの１つ以上に対処する様々な実施形態が提案される。特定の実施形態によれば、既存のアプローチの制限に対処するために、セミパーシステントスケジューリング（ＳＰＳ）の解放に関連付けられるハイブリッド自動再送要求確認応答（ＨＡＲＱ−ＡＣＫ）ビットを生成するための複数の解決策が提供される。例えば、ある実施形態によれば、物理アップリンク共有チャネル（ＰＵＳＣＨ）がフォールバックダウンリンク制御情報(ＤＣＩ)(またはダウンリンク割り当てインデックス（ＤＡＩ）を含まないＤＣＩ）でスケジュールされる場合、チャネル状態情報（ＣＳＩ）は、ダウンリンク（ＤＬ）検出の失敗によって引き起こされるＰＵＳＣＨの損失を回避するためにドロップされ得る。
【００２６】
特定の実施形態によれば、無線デバイスによる方法は、ＳＰＳ解放（リリース／解除）に関連付けられたＨＡＲＱ−ＡＣＫビットを生成するために提供される。この方法は、ＳＰＳ解放が、セルのために設定されたＣＢＧフィードバックを有するセルに関連付けられることを決定することを含む。ＳＰＳ解放に関連付けられた少なくとも１つのＨＡＲＱ−ＡＣＫビットは、コードブックのトランスポートブロック（ＴＢ）ベースのサブコードブック内に配置される。
【００２７】
特定の実施形態によれば、ＳＰＳ解放に関連付けられたＨＡＲＱ−ＡＣＫビットを生成するための無線デバイスは、ＳＰＳ解放が、セルのために設定されたＣＢＧフィードバックを有するセルに関連付けられ、コードブックのトランスポートブロックベースのサブコードブック内にＳＰＳ解放に関連付けられた少なくとも１つのＨＡＲＱ−ＡＣＫビットを配置することを決定するように構成された処理回路を含む。
【００２８】
特定の実施形態によれば、ＳＰＳ解放に関連付けられたＨＡＲＱ−ＡＣＫビットを受信するためのネットワークノードによる方法は、セルのためのＣＢＧフィードバックのために無線デバイスを設定する第１のメッセージを無線デバイスに送信することを含む。ＳＰＳ解放がセルに関連付けられていることを示す第２のメッセージが無線デバイスに送信される。ＳＰＳ解放に関連付けられた少なくとも１つのＨＡＲＱ−ＡＣＫビットは、コードブックのＴＢベースのサブコードブック内で受信される。
【００２９】
特定の実施形態によれば、ＳＰＳ解放に関連付けられたＨＡＲＱ−ＡＣＫビットを受信するためのネットワークノードが提供され、このネットワークノードは、セルのためのコードブックグループ、ＣＢＧのための無線デバイスを構成する第１のメッセージを無線デバイスに送信するように構成された処理回路を含む。ＳＰＳ解放がセルに関連付けられていることを示す２番目のメッセージが無線デバイスに送信される。ＳＰＳ解放に関連付けられた少なくとも１つのＨＡＲＱ−ＡＣＫビットは、コードブックのＴＢベースのサブコードブック内で受信される。
【００３０】
特定の実施形態は、以下の技術的利点のうちの１つ以上を提供することができる。例えば、特定の実施形態はＣＢＧベースのフィードバックおよび動的コードブックが構成されるときに、ＳＰＳ解放に対してＨＡＲＱ−ＡＣＫビットを生成するための解決策を提供することができる。
【００３１】
他の利点は当業者には容易に明らかであろう。特定の実施形態は、列挙された利点のうちのどれも、いくつか、またはすべてを有し得る。
【図面の簡単な説明】
【００３２】
開示された実施形態ならびにそれらの特徴および利点をより完全に理解するために、添付の図面と併せて以下の説明を参照する。
【図１】図１は、カウンタおよび合計ＤＡＩの一例を示す。
【図２】図２は、ＵＥに設定されたＰＵＣＣＨフォーマットの例を示す。
【図３】図３は、キャリアアグリゲーションを伴わない例示的なＨＡＲＱフィードバックの関連を示す。
【図４】図４は、特定の実施形態による、主題が実装され得る例示的な無線ネットワークを示す。
【図５】図５は、特定の実施形態による、例示的なネットワークノードを示す。
【図６】図６は、特定の実施形態による、例示的な無線デバイスを示す。
【図７】図７は、特定の実施形態による、例示的なユーザ装置を示す。
【図８】図８は、特定の実施形態による、いくつかの実施形態によって実装される機能が仮想化され得る仮想化環境を示す。
【図９】図９は、特定の実施形態による、中間ネットワークを介してホストコンピュータに接続された電気通信ネットワークを示す。
【図１０】図１０は、特定の実施形態による、基地局を介してユーザ装置と部分無線接続を介して通信するホストコンピュータの一般化されたブロック図を示す。
【図１１】図１１は、一実施形態による、通信システムにおいて実施される方法を示す。
【図１２】図１２は、一実施形態による、通信システムにおいて実施される別の方法を示す。
【図１３】図１３は、一実施形態による、通信システムにおいて実施される別の方法を示す。
【図１４】図１４は、一実施形態による、通信システムにおいて実施される別の方法を示す。
【図１５】図１５は、特定の実施形態による、システムによるＳＰＳ解放に関連付けられたＨＡＲＱ−ＡＣＫビットを生成するための方法を示す。
【図１６】図１６は、特定の実施形態による、システムによるＳＰＳ解放に関連付けられたＨＡＲＱ−ＡＣＫビットまたは他のビットを生成するための、無線デバイスによる別の方法を示す。
【図１７】図１７は、特定の実施形態による、無線ネットワークにおける装置の概略ブロック図を示す。
【図１８】図１８は、特定の実施形態による、ＳＰＳ解放に関連付けられたＨＡＲＱ−ＡＣＫビットを受信するためのネットワークノードによる方法を示す。
【図１９】図１９は、特定の実施形態による、無線ネットワークにおける装置の概略ブロック図を示す。
【図２０】図２０は、ある実施形態による、半静的に構成されたＨＡＲＱコードブックを示す。
【発明を実施するための形態】
【００３３】
ここで、本明細書で企図される実施形態のいくつかを、添付の図面を参照してより完全に説明する。しかしながら、他の実施形態は本明細書に開示された被写体の範囲内に含まれ、開示された被写体は本明細書に記載された実施形態のみに限定されると解釈されるべきではなく、むしろ、これらの実施形態は被写体の範囲を当業者に伝えるために例として提供される。
【００３４】
一般に、本明細書で使用されるすべての用語は異なる意味が明確に与えられ、かつ/またはそれが使用される文脈から暗示されない限り、関連する技術分野におけるそれらの通常の意味に従って解釈されるべきである。a/an/the要素、装置、構成要素（コンポーネント）、手段、ステップなどへの言及はすべて、特に明記しない限り、要素、装置、構成要素、手段、ステップなどの少なくとも１つのインスタンスを指すものとして開放的に解釈されるべきである。本明細書に開示される任意の方法のステップはステップが別のステップの後または前として明示的に記載されていない限り、および/またはステップが別のステップの後または前になければならないことが暗黙的である場合、開示される正確な順序で実行される必要はない。本明細書に開示される実施形態のいずれかの任意の特徴は、適切な場合には任意の他の実施形態に適用されてもよい。同様に、任意の実施形態の任意の利点は任意の他の実施形態に適用することができ、その逆も同様である。添付の実施形態の他の目的、特徴、および利点は、以下の説明から明らかになるのであろう。
【００３５】
本明細書に記載される実施形態は、物理ダウンリンク共有チャネル（ＰＤＳＣＨ）およびダウンリンク（ＤＬ）セミパーシステント（半永続的）スケジューリング（ＳＰＳ）解放（リリース／解除）のためのハイブリッドアクセス再送要求確認応答（ＨＡＲＱ−ＡＣＫ）フィードバックに関する。本明細書で開示される特定の実施形態はＳＰＳ解放を確認するためのＨＡＲＱビットの生成の文脈で説明されるが、厳密に言えば、ＳＰＳ解放を確認するビットはＰＤＳＣＨ受信を確認せず、代わりにＰＤＣＣＨ受信を確認するので、ＨＡＲＱビットではないことが一般に認識される。それにもかかわらず、以下の説明では、ＰＤＣＣＨ確認応答ビットもＨＡＲＱビットとして示されている。
【００３６】
対応するフィードバックはアップリンク（ＵＬ）上で送信され、ユーザ装置（ＵＥ）はＣＢＧベースのフィードバックで構成される場合、２つのサブコードブックを生成する。
【００３７】
本明細書では解決策１と呼ぶことができる特定の実施形態によれば、ＵＥは、ＳＰＳ解放がＣＢＧフィードバックを有するセルに関連付けられている場合、ＳＰＳ解放に関連付けられたＨＡＲＱ−ＡＣＫをＣＢＧベースのサブコードブック内に配置することができる。サブコードブックでは、ＵＥはサイズＮのビットマップを生成してもよい。特定の実施形態によれば、そして最も単純なケースでは、このビットマップがＳＰＳ解放の状態（ステータス）に関連付けられるＮ個の類似ビットを含むことができる。しかしながら、別の実施形態ではそれは長さＮの２つの異なるビットパターンから構成されてもよく、各パターンはＳＰＳ解放の１つのステータスに関連付けられる。ここで、Ｎは、全てのＣＢＧセルにわたるＣＢＧにおけるＣＢの設定された最大個数、すなわち、Ｎ_ｃがセルｃに対するＣＢＧ当たりのＣＢの設定された最大個数であるＮ = max_acrocss_CBG_cells(N_c)を与える。さらに、ＵＥはＣＢＧセルのいずれかが、４つを超えるレイヤＭＩＭＯをサポートするように構成され、Ｎ' = max_acrocss_CBG_cells(N_c*L_c)であり、上記のようにＮ_ｃおよびＬ_ｃ = １（最大４レイヤを有するＭＩＭＯのためのセルｃ構成）およびＬｃ = ２（４を超えるレイヤを有するＭＩＭＯのためのセルｃ構成）である場合、Ｎ'ビットを潜在的に生成することができる。
【００３８】
いくつかの実施形態によれば、ＵＥはＳＰＳ解放を示すＰＤＣＣＨが代わりにＰＤＳＣＨであったかのように、同様の方法でコードブック内にフィードバックを配置することができる。ＰＤＣＣＨに含まれるＤＡＩ（ダウンリンク割り当てインジケータ（Downlink Assignment Indicator））値は、ＣＢＧコードブックに関連付けられる。
【００３９】
本明細書では解決策２と呼ぶことができる特定の他の実施形態によれば、ＵＥは、ＳＰＳ解放に関連付けられたＨＡＲＱ−ＡＣＫビットをＴＢベースのサブコードブック内に配置することができる。特定の実施形態では、この方法は、ＳＰＳ解放がそのために構成されたＣＢＧフィードバックを有するセルに関連付けられる場合に使用され得る。特定の実施形態では例えば、ＵＥはＳＰＳ解放毎に１または２個のＨＡＲＱ−ＡＣＫビットを生成することができる。例えば、ＵＥが、集約されているＴＢベースのＨＡＲＱフィードバックセルのうちの少なくとも１つの上で４つを超えるレイヤを用いて構成されている場合、ＵＥは２つのＨＡＲＱ−ＡＣＫビットを生成することができ、それ以外の場合、１ビットである。ＰＤＣＣＨに含まれるダウンリンク割り当てインジケータ（ＤＡＩ）値は、ＴＢベースのＨＡＲＱコードブックに関連付けられ得る。
【００４０】
完全性のために、ＳＰＳ解放は、ＣＢＧベースのフィードバックが設定されていないセルに関連付けられている場合、ＨＡＲＱ−ＡＣＫビットもＴＢベースのサブコードブック内に配置され得る。
【００４１】
本明細書では解決策３と呼ぶことができるさらに他の実施形態によれば、設定された/予め定義されたビット値をＨＡＲＱコードブックに追加することができる。ＳＰＳ解放を示すＰＤＣＣＨには、これらの予約ビットにＳＰＳ解放ステータスが含まれている場合がある。特定の実施形態では、予約ビットよりも多くのＳＰＳ解放があり得る場合、マッピングルールが必要とされ得る。このマッピングルールには、バンドルも含まれる場合がある。つまり、複数/すべてのＳＰＳ解放ステータスビットがまとめてバンドルされる（論理ＡＮＤの組み合わせなど）。あるいは、ＳＰＳ解放を示すＰＤＣＣＨの数がビットフィールドのサイズに制限されてもよい。
【００４２】
特定の実施形態では、これらのビットがコードブック全体の始め、サブコードブック１と２の間、またはサブコードブック２の後に配置され得る。この場合、ＵＥは、ＳＰＳ解放を示すＰＤＣＣＨに関連付けられた任意のＤＡＩ値を無視してもよい。あるいは、ビットフィールドが設定された/予め定義された長さを持たず、ＳＰＳ解放を示す検出されたＰＤＣＣＨに従っている場合、ＳＰＳ解放ビットは３番目のサブコードブックを形成する可能性があり、ＰＤＣＣＨ中のＤＡＩフィールドはこの３番目のサブコードブックと関連付けられるのであろう。
【００４３】
特定の実施形態によれば、設定された/予め定義されたビットは、１つのサブ実施形態では、ＳＰＳが集約されたセル/ＢＷＰのうちの少なくとも１つ上でＲＲＣ構成され、ＣＢＧが構成されている場合にのみ、コードブックに存在する。ビットは非アクティブ化されているが、集約セルの一部であり、ＣＢＧが構成されているＢＷＰのために存在することができる。
【００４４】
本明細書で説明される主題は任意の好適な構成要素を使用して任意の適切な種類のシステムで実装され得るが、図４は特定の実施形態による、主題が実装され得る例示的な無線ネットワークを示す。図４の無線ネットワークは単純化のために、ネットワーク１０６、ネットワークノード１６０、１６０ｂ、ＷＤ１１０、１１０ｂ、１１０ｃのみを描いている。実際には、無線ネットワークが無線デバイス間の通信、または無線デバイスと、陸線電話、サービスプロバイダー、または任意の他のネットワークノードもしくはエンドデバイスなどの別の通信デバイスとの間の通信をサポートするのに適した任意の追加の要素をさらに含むことができる。図示された構成要素のうち、ネットワークノード１６０および無線デバイス（ＷＤ）１１０が、さらなる詳細を伴って示されている。無線ネットワークは、無線ネットワークによって、または無線ネットワークを介して提供されるサービスへの無線デバイスのアクセスおよび/またはそのサービスの使用を容易にするために、１つ以上の無線デバイスに通信および他のタイプのサービスを提供することができる。
【００４５】
無線ネットワークは、任意のタイプの通信、電気通信、データ、セルラー、および/または無線ネットワーク、または他の同様のタイプのシステムを備え、および/またはそれらと結合することができる。いくつかの実施形態では、無線ネットワークが特定の規格または他のタイプの予め定義された規則または手順に従って動作するように構成され得る。したがって、無線ネットワークの特定の実施形態は、グローバル移動体通信システム（ＧＳＭ）、ユニバーサル移動体通信システム（ＵＭＴＳ）、ロングタームエボリューション（ＬＴＥ）、および/または他の適切な２Ｇ、３Ｇ、４Ｇ、または５Ｇ標準規格などの通信標準規格、ＩＥＥＥ ８０２．１１標準規格などの無線ローカルエリアネットワーク（ＷＬＡＮ）標準規格、および/またはＷｉＭａｘ（Worldwide Interoperability for Microwave Access）、Ｂｌｕｅｔｏｏｔｈ、Ｚ−Ｗａｖｅ、および/またはＺｉｇＢｅｅ標準規格などの任意の他の適切な無線通信標準規格を実装することができる。
【００４６】
ネットワーク１０６は、１つ以上のバックホールネットワーク、コアネットワーク、ＩＰネットワーク、公衆交換電話網、パケットデータネットワーク、光ネットワーク、ワイドエリアネットワーク、ローカルエリアネットワーク、無線ローカルエリアネットワーク、有線ネットワーク、無線ネットワーク、メトロポリタンエリアネットワーク、およびデバイス間の通信を可能にする他のネットワークから成り得る。
【００４７】
ネットワークノード１６０およびＷＤ１１０は、以下でより詳細に説明する様々な構成要素を備える。これらの構成要素は、無線ネットワークにおける無線接続を提供するなど、ネットワークノードおよび/または無線デバイスの機能を提供するために協働する。異なる実施形態では無線ネットワークが任意の数の有線または無線ネットワーク、ネットワークノード、基地局、コントローラ、無線デバイス、中継局、および/または有線または無線接続を介するかどうかにかかわらず、データおよび/または信号の通信を容易にするかまたは参加することができる任意の他の構成要素またはシステムを備えることができる。
【００４８】
図５は、特定の実施形態による例示的なネットワークノード１６０を示す。本明細書で使用されるように、ネットワークノードは無線デバイスへの無線アクセスを可能にし、および/または無線デバイスへの無線アクセスを提供し、および/または無線ネットワーク内の他の機能（たとえば、管理）を実行するために、無線デバイスと、および/または無線ネットワーク内の他のネットワークノードまたは装置と直接的または間接的に通信することが可能であり、設定され、配置され、および/または動作可能な機器を指す。ネットワークノードの例はアクセスポイント（ＡＰ）（例えば、無線アクセスポイント）、基地局（ＢＳ）（例えば、無線基地局、ノードＢ、進化型ノードＢ（ｅＮＢ）およびＮＲノードＢ（ｇＮＢ））を含むが、これらに限定されない。基地局は、それらが提供するカバレッジの量（または別の言い方をすれば、それらの送信電力レベル）に基づいて分類され得、次いで、フェムト基地局、ピコ基地局、マイクロ基地局、またはマクロ基地局とも呼ばれ得る。基地局は、リレーを制御するリレーノードまたはリレードナーノードであってもよい。ネットワークノードは、集中型デジタルユニットおよび/または遠隔無線ユニット（ＲＲＵ）（遠隔無線ヘッド（ＲＲＨ）と呼ばれることもある）などの分散型無線基地局の１つ以上の（またはすべての）部分を含むこともできる。このような遠隔無線ユニットはアンテナ一体型無線機としてアンテナと一体化されていてもよいし、されていなくてもよい。分散無線基地局の一部は、分散アンテナシステム（ＤＡＳ）におけるノードと呼ばれることもある。ネットワークノードのさらに別の例はＭＲＳ ＢＳなどのマルチスタンダード無線（ＭＳＲ）機器、無線ネットワークコントローラ（ＲＮＣ）または基地局コントローラ（ＢＳＣ）などのネットワークコントローラ、基地トランシーバ局（ＢＴＳ）、送信ポイント、送信ノード、マルチセル/マルチキャスト調整エンティティ（ＭＣＥ）、コアネットワークノード（例えば、ＭＳＣ、ＭＭＥ）、Ｏ＆Ｍノード、ＯＳＳノード、ＳＯＮノード、測位ノード（例えば、Ｅ−ＳＭＬＣ）、および/またはＭＤＴを含む。別の例として、ネットワークノードは、以下でより詳細に説明するような仮想ネットワークノードであってもよい。しかしながら、より一般的には、ネットワークノードが無線デバイスに無線ネットワークへのアクセスを可能にする、および/または提供する、あるいは無線ネットワークにアクセスした無線デバイスに何らかのサービスを提供することが可能な、構成された、配置された、および/または動作可能な、任意の適切なデバイス（またはデバイスのグループ）を表し得る。
【００４９】
図５において、ネットワークノード１６０は、処理回路１７０、デバイス可読媒体１８０、インターフェース１９０、補助装置１８４、電源１８６、電力回路１８７、およびアンテナ１６２を含む。図５の例示的な無線ネットワークに示されるネットワークノード１６０はハードウェア構成要素の例示的な組合せを含むデバイスを表すことができるが、他の実施形態は構成要素の異なる組合せを有するネットワークノードを備えることができる。ネットワークノードは、本明細書で開示されるタスク、特徴、機能、および方法を実行するために必要とされるハードウェアおよび/またはソフトウェアの任意の適切な組合せを備えることを理解されたい。さらに、ネットワークノード１６０の構成要素はより大きなボックス内に配置された単一のボックスとして示されているか、または複数のボックス内に入れ子にされているが、実際にはネットワークノードが単一の図示された構成要素を構成する複数の異なる物理的構成要素を備えることができる（例えば、デバイス可読媒体１８０は複数の別個のハードドライブならびに複数のＲＡＭモジュールを備えることができる）。
【００５０】
同様に、ネットワークノード１６０は、複数の物理的に別個の構成要素（例えば、ノードＢ構成要素およびＲＮＣ構成要素、またはＢＴＳ構成要素およびＢＳＣ構成要素など）から構成されてもよく、それらはそれぞれ、それら自体のそれぞれの構成要素を有する可能性がある。ネットワークノード１６０が複数の別個の構成要素（例えば、ＢＴＳおよびＢＳＣ構成要素）を備える特定のシナリオでは、別個の構成要素のうちの１つ以上がいくつかのネットワークノード間で共有され得る。例えば、単一のＲＮＣは、複数のノードＢを制御することができる。このようなシナリオでは、それぞれの一意のＮｏｄｅＢとＲＮＣのペアが場合によっては単一の個別のネットワークノードと見なされることがある。ある実施形態では、ネットワークノード１６０が複数の無線アクセス技術（ＲＡＴ）をサポートするように構成されてもよい。そのような実施形態ではいくつかの構成要素が複製されてもよく（例えば、異なるＲＡＴのための別個のデバイス可読媒体１８０）、いくつかの構成要素は再使用されてもよい（例えば、同じアンテナ１６２はＲＡＴによって共有されてもよい）。ネットワークノード１６０はまた、例えば、ＧＳＭ、ＷＣＤＭＡ、ＬＴＥ、ＮＲ、ＷｉＦｉ、またはＢｌｕｅｔｏｏｔｈ無線技術のような、ネットワークノード１６０に統合された異なる無線技術のための様々な例示された構成要素の複数のセットを含み得る。これらの無線技術は、ネットワークノード１６０内の同じまたは異なるチップまたはチップの設定および他の構成要素に統合され得る。
【００５１】
処理回路１７０は、ネットワークノードによって提供されるものとして本明細書で説明される任意の決定、計算、または類似の操作（例えば、特定の取得操作）を実行するように構成される。処理回路１７０によって実行されるこれらの動作は例えば、取得された情報を他の情報に変換すること、取得された情報または変換された情報をネットワークノードに格納された情報と比較すること、および/または取得された情報または変換された情報に基づいて１つ以上の動作を実行すること、および前記処理の結果として判定を行うことによって、処理回路１７０によって取得された情報を処理することを含み得る。
【００５２】
処理回路１７０は、マイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソース、またはハードウェア、ソフトウェア、および/または符号化ロジックの組合せのうちの１つ以上の組合せを備えることができ、これらは、単独で、またはデバイス可読媒体１８０、ネットワークノード１６０機能などの他のネットワークノード１６０構成要素と併せてのいずれかで提供するように動作可能である。例えば、処理回路１７０は、デバイス可読媒体１８０または処理回路１７０内のメモリに格納された命令を実行することができる。そのような機能は、本明細書で説明される各種無線特徴、機能、または利益のいずれかを提供することを含むことができる。一部の実施形態において、処理回路１７０は、システムオンチップ（ＳＯＣ）を含むことができる。
【００５３】
いくつかの実施形態では、処理回路１７０は、無線周波数（ＲＦ）トランシーバ回路１７２およびベースバンド処理回路１７４のうちの１つ以上を含んでもよい。いくつかの実施形態では、無線周波数（ＲＦ）トランシーバ回路１７２およびベースバンド処理回路１７４は、無線ユニットおよびデジタルユニットなどの、別個のチップ（またはチップの設定）、ボード、またはユニット上にあってもよい。代替実施形態では、ＲＦトランシーバ回路１７２およびベースバンド処理回路１７４の一部または全部は、同じチップまたはチップ、ボード、またはユニットのセット上にあってもよい
【００５４】
特定の実施形態では、ネットワークノード、基地局、ｅＮＢ、または他のそのようなネットワークデバイスによって提供されるものとして本明細書で説明される機能の一部またはすべては、デバイス可読媒体１８０または処理回路１７０内のメモリ上に格納された命令を実行する処理回路１７０によって実行され得る。代替の実施形態では、機能のいくつかまたはすべてはハードワイヤード方式などで、別個のまたは個別のデバイス可読媒体上に格納された命令を実行することなく、処理回路１７０によって提供され得る。これらの実施形態のいずれにおいても、デバイス可読記憶媒体上に記憶された命令を実行するか否かにかかわらず、処理回路１７０は、説明された機能を実行するように構成され得る。そのような機能性によって提供される利点は、処理回路１７０単独またはネットワークノード１６０の他の構成要素に限定されず、ネットワークノード１６０全体によって、および/またはエンドユーザおよび無線ネットワーク全体によって享受される。
【００５５】
デバイス可読媒体１８０は、限定されるものではないが、永続的記憶装置、ソリッドステートメモリ、遠隔でマウントされたメモリ、磁気媒体、光学媒体、ランダムアクセスメモリ、読み出し専用メモリ、大容量記憶媒体（例えば、ハードディスク）、取り外し可能記憶媒体（例えば、フラッシュドライブ、コンパクトディスク（ＣＤ）またはデジタルビデオディスク（ＤＶＤ））、および/または処理回路１７０によって使用され得る情報、データ、および/または命令を記憶するその他の揮発性または不揮発性、一時的でないデバイス可読および/またはコンピュータ実行可能メモリデバイスを含む、任意の形態の揮発性または不揮発性コンピュータ可読メモリを含むことができる。デバイス可読媒体１８０は、コンピュータプログラム、ソフトウェア、ロジック、規則、コード、テーブルなどのうちの１つ以上を含むアプリケーション、および/または処理回路１７０によって実行され、ネットワークノード１６０によって利用されることが可能な他の命令を含む、任意の適切な命令、データ、または情報を格納することができる。デバイス可読媒体１８０は、処理回路１７０によって行われた任意の計算、および/またはインターフェース１９０を介して受信された任意のデータを格納するために使用され得る。いくつかの実施形態では、処理回路１７０およびデバイス可能媒体１８０が集積されていると考えられてもよい。
【００５６】
インターフェース１９０は、ネットワークノード１６０、ネットワーク１０６、および/またはＷＤ１１０間のシグナリングおよび/またはデータの有線または無線通信で使用される。図示のように、インターフェース１９０は、例えば有線接続を介してネットワーク１０６との間でデータを送受信するためのポート/端子１９４を備える。インターフェース１９０はまた、アンテナ１６２の一部に結合され得る、または特定の実施形態では無線フロントエンド回路１９２を含む。無線フロントエンド回路１９２は、フィルタ１９８および増幅器１９６を含む。無線フロントエンド回路１９２は、アンテナ１６２および処理回路１７０に接続されてもよい。無線フロントエンド回路は、アンテナ１６２と処理回路１７０との間で通信される信号を条件付けるように構成されてもよい。無線フロントエンド回路１９２は、無線接続を介して他のネットワークノードまたはＷＤに送出されるデジタルデータを受信することができる。無線フロントエンド回路１９２は、フィルタ１９８および/または増幅器１９６の組合せを使用して、デジタルデータを適切なチャネルおよび帯域幅パラメータを有する無線信号に変換することができる。次いで、無線信号は、アンテナ１６２を介して送信されてもよい。同様に、データを受信する場合、アンテナ１６２は無線信号を収集し、次いで、無線フロントエンド回路１９２によってデジタルデータに変換されてもよい。デジタルデータは、処理回路１７０に渡されてもよい。他の実施形態では、インターフェースが異なる構成要素および/または構成要素の異なる組合せを含むことができる。
【００５７】
特定の代替実施形態では、ネットワークノード１６０は、別個の無線フロントエンド回路１９２を含んでいなくてもよく、代わりに、処理回路１７０は無線フロントエンド回路を含んでいてもよく、別個の無線フロントエンド回路１９２を伴わずにアンテナ１６２に接続されてもよい。同様に、いくつかの実施形態では、ＲＦトランシーバ回路１７２のすべてまたは一部がインターフェース１９０の一部とみなされてもよい。さらに他の実施形態ではインターフェース１９０が無線ユニット（図示せず）の一部として、１つ以上のポートまたは端子１９４、無線フロントエンド回路１９２、およびＲＦトランシーバ回路１７２を含むことができ、インターフェース１９０はデジタルユニット（図示せず）の一部であるベースバンド処理回路１７４と通信することができる。
【００５８】
アンテナ１６２は、無線信号を送信および/または受信するように構成された１つ以上のアンテナ、またはアンテナアレイを含み得る。アンテナ１６２は、無線フロントエンド回路１９０に結合することができ、データおよび/または信号を無線で送受信することができる任意のタイプのアンテナとすることができる。いくつかの実施形態では、アンテナ１６２は、例えば２ＧＨｚと６６ＧＨｚとの間で無線信号を送受信するように動作可能な、１つ以上の無指向性、セクタまたはパネルアンテナを含んでもよい。無指向性アンテナは任意の方向に無線信号を送信/受信するために使用されてもよく、セクタアンテナは特定のエリア内のデバイスから無線信号を送信/受信するために使用されてもよく、パネルアンテナは比較的直線で無線信号を送信/受信するために使用される見通し線（line of sight）アンテナであってもよい。いくつかの例では、２つ以上のアンテナの使用がＭＩＭＯと呼ばれ得る。いくつかの実施形態では、アンテナ１６２がネットワークノード１６０とは別個であってもよく、インターフェースまたはポートを介してネットワークノード１６０に接続可能であってもよい。
【００５９】
アンテナ１６２、インターフェース１９０、および/または処理回路１７０は、ネットワークノードによって実行されるものとして本明細書で説明される任意の受信動作および/または特定の取得動作を実行するように構成され得る。任意の情報、データ、および/または信号は、無線デバイス、別のネットワークノード、および/または任意の他のネットワーク機器から受信され得る。同様に、アンテナ１６２、インターフェース１９０、および/または処理回路１７０は、ネットワークノードによって実行されるものとして、本明細書に記載される任意の送信動作を実行するように構成されてもよい。任意の情報、データ、および/または信号は、無線デバイス、別のネットワークノード、および/または任意の他のネットワーク機器に送信され得る。
【００６０】
電力回路１８７は、電力管理回路を備えてもよく、または電力管理回路に結合されてもよく、本明細書に記載される機能を実行するための電力をネットワークノード１６０の構成要素に供給するように構成される。電力回路１８７は、電源１８６から電力を受け取ってもよい。電源１８６および／または電力回路１８７はそれぞれの構成要素に適した形式でネットワークノード１６０の様々な構成要素に電源を提供するように構成されてもよい（例えば、各構成要素に必要な圧及び現在のレベルで）。電源１８６は、電力回路１８７および／またはネットワークノード１６０に含まれるか、または外部から構成されてもよい。例えば、ネットワークノード１６０は電気ケーブルなどの入力回路またはインターフェースを介して、外部電源（例えば、電気コンセント）に接続可能であってもよく、それによって、外部電源は、電力回路１８７に電力を供給する。さらなる例として、電源１８６は、電力回路１８７に接続される、または集積される、バッテリまたはバッテリパックの形態の電源を含んでもよい。バッテリは、外部電源が故障した場合にバックアップ電力を供給することができる。光起電装置のような他のタイプの電源も使用することができる。
【００６１】
ネットワークノード１６０の代替的な実施形態は、本明細書で説明される機能性のいずれか、および/または本明細書で説明される主題をサポートするために必要な任意の機能性を含む、ネットワークノードの機能性のある態様を提供する責任を負うことができる、図５に示されるものを超える追加の構成要素を含むことができる。例えば、ネットワークノード１６０はネットワークノード１６０への情報の入力を可能にし、ネットワークノード１６０からの情報の出力を可能にするユーザインターフェース装置を含むことができる。これにより、ユーザは、ネットワークノード１６０の診断、保守、修理、および他の管理機能を実行することができる。
【００６２】
図６は、特定の実施形態による、例示的な無線デバイス（ＷＤ）を示す。本明細書で使用されるように、ＷＤは、ネットワークノードおよび/または他の無線デバイスと無線で通信することが可能な、該通信するように設定された、配置された、および/または動作可能なデバイスを指す。特に断らない限り、用語ＷＤは、本明細書ではユーザ装置（ＵＥ）と互換的に使用され得る。無線通信は、電磁波、電波、赤外線、および/またはエアを介して情報を伝達するのに適した他のタイプの信号を使用して、無線信号を送信および/または受信することを伴ってもよい。いくつかの実施形態では、ＷＤが直接的な人間の相互作用なしに情報を送信および/または受信するように構成され得る。例えば、ＷＤは内部イベントまたは外部イベントによってトリガされたとき、またはネットワークからの要求に応答して、所定のスケジュールでネットワークに情報を送信するように設計され得る。ＷＤの例としてはスマートフォン、携帯電話、携帯電話、ＶｏＩＰ（voice over IP）電話、無線ローカルループ電話、デスクトップコンピュータ、パーソナルデジタルアシスタント（ＰＤＡ）、無線カメラ、ゲームコンソールまたはデバイス、音楽記憶装置、再生装置、ウェアラブル端末装置、無線エンドポイント、移動局、タブレット、ラップトップ、ラップトップ埋め込み装置（ＬＥＥ）、ラップトップ搭載装置（ＬＭＥ）、スマートデバイス、無線カスタマープレミス装置（ＣＰＥ）が挙げられるが、これらに限定されない。ＷＤは例えば、サイドリンク通信のための３ＧＰＰ規格、車両間（Ｖ２Ｖ）、車両対インフラストラクチャ（Ｖ２Ｉ）、車両対全て（Ｖ２Ｘ）を実装することによって、デバイスツーデバイス（Ｄ２Ｄ）通信をサポートすることができ、この場合、Ｄ２Ｄ通信デバイスと呼ばれることがある。さらに別の特定の例として、ＩｏＴ（Internet of Things（モノのインターネット））シナリオでは、ＷＤが監視および/または測定を実行し、そのような監視および/または測定の結果を別のＷＤおよび/またはネットワークノードに送信するマシン（機械）または他のデバイスを表すことができる。この場合、ＷＤはマシンツーマシン（Ｍ２Ｍ）装置であってもよく、３ＧＰＰの文脈ではＭＴＣ装置と呼ばれてもよい。具体例として、ＷＤは３ＧＰＰの狭帯域internet of things（ＮＢ−ＩｏＴ）規格を実行するＵＥかもしれない。そのような機械または装置の特定の例は、センサ、電力計、産業機械などの計量装置、または家庭用もしくは個人用機器（例えば、冷蔵庫、テレビなど）、個人用ウェアラブル（例えば、時計、フィットネストラッカなど）である。他のシナリオでは、ＷＤがその動作状態またはその動作に関連する他の機能を監視および/または報告することができる車両または他の機器を表すことができる。上述のＷＤは無線接続のエンドポイントを表すことができ、この場合、装置は、無線端末と呼ばれることができる。さらに、上述したようなＷＤは、モバイルであってもよく、その場合、モバイルデバイスまたはモバイル端末とも呼ばれてもよい。
【００６３】
図示のように、無線デバイス１１０は、アンテナ１１１、インターフェース１１４、処理回路１２０、デバイス可能媒体１３０、ユーザインターフェース機器、補助装置１３４、電源１３６、および電力回路１３７を含む。ＷＤ１１０はほんの数例を挙げると、たとえば、ＧＳＭ、ＷＣＤＭＡ、ＬＴＥ、ＮＲ、ＷｉＦｉ、ＷｉＭＡＸ、またはＢｌｕｅｔｏｏｔｈ無線技術、ＷＤ１１０によってサポートされる異なる無線技術のための例示された構成要素のうちの１つ以上の複数のセットを含むことができる。これらの無線技術は、ＷＤ１１０内の他の構成要素と同じまたは異なるチップまたはチップの設定に統合され得る。
【００６４】
アンテナ１１１は、無線信号を送信および/または受信するように構成された１つ以上のアンテナまたはアンテナアレイを含むことができ、インターフェース１１４に接続される。特定の代替実施形態では、アンテナ１１１は、ＷＤ１１０とは別個であってもよく、インターフェースまたはポートを介してＷＤ１１０に接続可能であってもよい。アンテナ１１１、インターフェース１１４、および/または処理回路１２０は、ＷＤによって実行されるものとして、本明細書に記載される任意の受信または送信動作を実行するように構成されてもよい。任意の情報、データ、および/または信号が、ネットワークノードおよび/または別のＷＤから受信され得る。いくつかの実施形態では、無線フロントエンド回路および/またはアンテナ１１１がインターフェースとみなされてもよい。
【００６５】
図示されるように、インターフェース１１４は、無線フロントエンド回路１１２およびアンテナ１１１を備える。無線フロントエンド回路１１２は、１つ以上のフィルタ１１８および増幅器１１６を備える。無線フロントエンド回路１１４は、アンテナ１１１および処理回路１２０に接続され、アンテナ１１１と処理回路１２０との間で通信される信号を調整するように構成される。無線フロントエンド回路１１２は、アンテナ１１１に結合されてもよく、またはその一部であってもよい。一部の実施形態ではＷＤ１１０が別個の無線フロントエンド回路１１２を含まなくてもよく、むしろ、処理回路１２０は無線フロントエンド回路を含んでもよく、アンテナ１１１に接続されてもよい。同様に、いくつかの実施形態では、ＲＦトランシーバ回路１２２の一部または全部がインターフェース１１４の一部とみなされてもよい。無線フロントエンド回路１１２は、無線接続を介して他のネットワークノードまたはＷＤに送出されるデジタルデータを受信することができる。無線フロントエンド回路１１２は、フィルタ１１８および/または増幅器１１６の組合せを使用して、デジタルデータを適切なチャネルおよび帯域幅パラメータを有する無線信号に変換することができる。次いで、無線信号は、アンテナ１１１を介して送信されてもよい。同様に、データを受信する場合、アンテナ１１１は無線信号を収集し、次いで、無線フロントエンド回路１１２によってデジタルデータに変換されてもよい。デジタルデータは、処理回路１２０に渡されてもよい。他の実施形態では、インターフェースが異なる構成要素および/または構成要素の異なる組合せを含むことができる。
【００６６】
処理回路１２０は、マイクロプロセッサ、コントローラ、マイクロコントローラ、中央演算処理装置、デジタル信号プロセッサ、特定用途向け集積回路、フィールドプログラマブルゲートアレイ、または任意の他の適切なコンピューティングデバイス、リソース、またはハードウェア、ソフトウェア、および/または符号化ロジックの組合せのうちの１つ以上の組合せを備えることができ、これらは、単独で、またはデバイス可読媒体１３０、ＷＤ１１０機能などの他のＷＤ１１０構成要素と併せてのいずれかで提供するように動作可能である。そのような機能は、本明細書で説明される各種無線の特徴または利点のいずれかを提供することを含むことができる。例えば、処理回路１２０は本明細書で開示される機能を提供するために、デバイス可読媒体１３０または処理回路１２０内のメモリに格納された命令を実行することができる。
【００６７】
図示されるように、処理回路１２０は、ＲＦトランシーバ回路１２２、ベースバンド処理回路１２４、およびアプリケーション処理回路１２６のうちの１つ以上を含む。他の実施形態では、処理回路が異なる構成要素及び/又は構成要素の異なる組み合わせを含むことができる。特定の実施形態では、ＷＤ１１０の処理回路１２０がＳＯＣを備えることができる。いくつかの実施形態ではＲＦトランシーバ回路１２２、ベースバンド処理回路１２４、およびアプリケーション処理回路１２６は別個のチップまたはチップセット上にあってもよい。代替実施形態ではベースバンド処理回路１２４およびアプリケーション処理回路１２６の一部または全部が１つのチップまたはチップの設定に組み合わされてもよく、ＲＦトランシーバ回路１２２は別個のチップまたはチップの設定上にあってもよい。さらに代替の実施形態ではＲＦトランシーバ回路１２２およびベースバンド処理回路１２４の一部または全部が同一チップまたはチップセット上にあってもよく、アプリケーション処理回路１２６は別個のチップまたはチップセット上にあってもよい。さらに他の代替実施形態では、ＲＦトランシーバ回路１２２、ベースバンド処理回路１２４、およびアプリケーション処理回路１２６の一部または全部が同一チップまたは一組のチップ内で組み合わされてもよい。いくつかの実施形態では、ＲＦトランシーバ回路１２２がインターフェース１１４の一部であってもよい。ＲＦトランシーバ回路１２２は、処理回路１２０のためのＲＦ信号を条件付けてもよい。
【００６８】
特定の実施形態では、ＷＤによって実行されるものとして本明細書で説明される機能の一部またはすべては特定の実施形態ではコンピュータ可読記憶媒体とすることができるデバイス可読媒体１３０上に記憶された命令を実行する処理回路１２０によって提供することができる。代替の実施形態では、機能のいくつかまたはすべてはハードワイヤード方式などで、別個のまたは個別のデバイス可読記憶媒体上に記憶された命令を実行することなく、処理回路１２０によって提供され得る。これらの特定の実施形態のいずれにおいても、デバイス可読記憶媒体上に記憶された命令を実行するか否かにかかわらず、処理回路１２０は、説明された機能を実行するように構成され得る。そのような機能性によって提供される利点は、処理回路１２０単独またはＷＤ１１０の他の構成要素に限定されず、ＷＤ１１０全体によって、および/またはエンドユーザおよび無線ネットワーク全体によって享受される。
【００６９】
処理回路１２０は、ＷＤによって実行されるものとして本明細書で説明される任意の決定、計算、または類似の動作（たとえば、ある取得動作）を実行するように構成され得る。これらの動作は処理回路１２０によって実行されるように、例えば、取得された情報を他の情報に変換すること、取得された情報または変換された情報をＷＤ１１０によって記憶された情報と比較すること、および/または取得された情報または変換された情報に基づいて１つ以上の動作を実行すること、および前記処理の結果として決定を行うことによって、処理回路１２０によって取得された情報を処理することを含み得る。
【００７０】
デバイス可読媒体１３０は、コンピュータプログラム、ソフトウェア、ロジック、規則、コード、表などのうちの１つ以上を含むアプリケーション、および/または処理回路１２０によって実行されることが可能な他の命令を格納するように動作可能であり得る。デバイス可能媒体１３０はコンピュータメモリ（例えば、ランダムアクセスメモリ（ＲＡＭ）または可読専用メモリ（ＲＯＭ））、大容量記憶媒体（例えば、ハードディスク）、取り外し可能記憶媒体（例えば、コンパクトディスク（ＣＤ）またはデジタルビデオディスク（ＤＶＤ））、および/または処理回路１２０によって使用され得る情報、データ、および/または命令を記憶する任意の他の揮発性または不揮発性、一時的でないデバイス可読可能および/またはコンピュータ実行可能メモリデバイスを含み得る。いくつかの実施形態では、処理回路１２０およびデバイス可能媒体１３０が集積されていると考えられてもよい。
【００７１】
ユーザインターフェース機器１３２は、人間のユーザがＷＤ１１０と相互作用（interact）することを可能にするコンポーネントを提供することができる。このような相互作用は、視覚的、聴覚的、触覚的などの多くの形態であり得る。ユーザインターフェース機器１３２はユーザに出力を生成し、ユーザがＷＤ１１０に入力を提供することを可能にするように動作可能であり得る。相互作用のタイプは、ＷＤ１１０にインストールされたユーザインターフェース機器１３２のタイプに応じて変わり得る。例えば、ＷＤ１１０がスマートフォンである場合、相互作用はタッチスクリーンを介して行われてもよく、ＷＤ１１０がスマートメータである場合、相互作用は使用量（例えば、使用されるガロン数）を提供するスクリーン、または可聴警報（例えば、煙が検出される場合）を提供するスピーカを介して行われてもよい。ユーザインターフェース機器１３２は、入力インターフェース、装置及び回路、ならびに出力インターフェース、装置及び回路を含み得る。ユーザインターフェース機器１３２は、ＷＤ１１０への情報の入力を可能にするように構成され、処理回路１２０に接続されて、処理回路１２０が入力情報を処理することを可能にする。ユーザインターフェース機器１３２は例えば、マイクロフォン、近接または他のセンサ、キー/ボタン、タッチディスプレイ、１つ以上のカメラ、ＵＳＢポート、または他の入力回路を含むことができる。ユーザインターフェース機器１３２はまた、ＷＤ１１０からの情報の出力を可能にし、処理回路１２０がＷＤ１１０から情報を出力することを可能にするように構成される。ユーザインターフェース機器１３２は例えば、スピーカ、ディスプレイ、振動回路、ＵＳＢポート、ヘッドホンインターフェース、または他の出力回路を含み得る。ユーザインターフェース機器１３２の１つ以上の入出力インターフェース、デバイス、および回路を使用して、ＷＤ１１０はエンドユーザおよび/または無線ネットワークと通信することができ、本明細書で説明する機能性からの利益をエンドユーザおよび/または無線ネットワークに与えることができる。
【００７２】
補助装置１３４は、ＷＤによって一般に実行されない可能性があるより具体的な機能を提供するように動作可能である。これは、様々な目的のために測定を行うための専用センサ、有線通信などの追加のタイプの通信のためのインターフェースを含むことができる。補助装置１３４の構成要素の含有及び種類は、実施形態および/またはシナリオに応じて変わり得る。
【００７３】
電源１３６は、一部の実施形態ではバッテリまたはバッテリパックの形態であってもよい。外部電源（例えば、電気コンセント）、光起電力デバイス、またはパワーセルなどの他のタイプの電源も使用することができる。ＷＤ１１０はさらに、電源１３６からの電力を、電源１３６からの電力を必要とするＷＤ１１０の様々な部分に送り、本明細書に記載または示される任意の機能を実行するための電力回路１３７を含んでもよい。電力回路１３７は、特定の実施形態では電力管理回路を備えてもよい。電力回路１３７は追加的または代替的に、外部電源から電力を受け取るように動作可能であってもよく、その場合、ＷＤ１１０は、入力回路または電力ケーブルなどのインターフェースを介して、外部電源（電気コンセントなど）に接続可能であってもよい。また、特定の実施形態において、電力回路１３７は、外部電源から電源１３６に電力を送達するように動作可能であってもよい。これは、例えば、電源１３６の充電のためであってもよい。電力回路１３７は電力が供給されるＷＤ１１０のそれぞれの構成要素に適した電力にするために、電源１３６からの電力に対して、任意のフォーマット、変換、または他の修正を実行することができる。
【００７４】
図７は、本明細書で説明される様々な態様によるＵＥの一実施形態を示す。本明細書で使用されるように、ユーザ装置またはＵＥは必ずしも、関連するデバイスを所有し、および/または操作する人間のユーザという意味でユーザを有するとは限らない。代わりに、ＵＥは人間のユーザへの販売または人間のユーザによる操作が意図されているが、最初は特定の人間のユーザ（例えば、スマートスプリンクラコントローラ）に関連付けられていてもいなくてもよく、または関連付けられていなくてもよいデバイスを表してもよい。あるいはＵＥがエンドユーザへの販売またはエンドユーザによる操作を意図されていないが、ユーザ（例えば、スマート電力メータ）のために関連付けられるか、または操作され得るデバイスを表し得る。ＵＥ２２００は、ＮＢ−ＩｏＴ ＵＥ、マシンタイプ通信(ＭＴＣ)ＵＥ、および/または強化ＭＴＣ(ｅＭＴＣ)ＵＥを含む、第３世代パートナーシッププロジェクト（３ＧＰＰ）によって特定される任意のＵＥであってもよい。ＵＥ２００は図７に例示されているように、３ＧＰＰのＧＳＭ、ＵＭＴＳ、ＬＴＥ、および/または５Ｇ標準規格のような、第３世代パートナーシッププロジェクト（３ＧＰＰ）によって公布された１つ以上の通信標準規格に従って通信するように設定されたＷＤの一例である。前述のように、用語ＷＤおよびＵＥは、交換可能に使用され得る。したがって、図７はＵＥであるが、本明細書で説明される構成要素はＷＤに等しく適用可能であり、その逆もまた同様である。
【００７５】
図７では、ＵＥ２００が入力/出力インターフェース２０５、無線周波数（ＲＦ）インターフェース２０９、ネットワーク接続インターフェース２１１、ランダムアクセスメモリ（ＲＡＭ）２１７を含むメモリ２１５、読み出し専用メモリ（ＲＯＭ）２１９、および記憶媒体２２１など、通信サブシステム２３１、電源２３３、および/または任意の他の構成要素、またはそれらの任意の組合せに動作可能に結合された処理回路２０１を含む。記憶媒体２２１は、オペレーティングシステム２２３、アプリケーションプログラム２２５、およびデータ２２７を含む。他の実施形態では、記憶媒体２２１が他の同様のタイプの情報を含むことができる。いくつかのＵＥは、図７に示される構成要素のすべて、または構成要素のサブセットのみを利用し得る。構成要素間の統合のレベルは、１つのＵＥから別のＵＥへと変化し得る。さらに、いくつかのＵＥは、複数のプロセッサ、メモリ、トランシーバ、送信機、受信機など、構成要素の複数のインスタンスを含み得る。
【００７６】
図７では、処理回路２０１がコンピュータ命令およびデータを処理するように構成されてもよい。処理回路２０１は１つ以上のハードウェア実装状態機械（例えば、個別論理、ＦＰＧＡ、ＡＳＩＣなど）、適切なファームウェアとともにプログラマブル論理、１つ以上の格納プログラム、マイクロプロセッサまたはデジタルシグナルプロセッサ（ＤＳＰ）などの汎用プロセッサ、ならびに適切なソフトウェア、または上記の任意の組合せなど、機械可読コンピュータプログラムとしてメモリに格納された機械命令を実行するように動作可能な任意の順次状態機械を実装するように構成され得る。例えば、処理回路２０１は、２つの中央処理装置（ＣＰＵ）を含むことができる。データは、コンピュータによる使用に適した形式の情報であってもよい。
【００７７】
図示された実施形態では、入力/出力インターフェース２０５が入力デバイス、出力デバイス、または入力および出力デバイスへの通信インターフェースを提供するように構成され得る。ＵＥ２００は、入力/出力インターフェース２０５を介して出力デバイスを使用するように構成され得る。出力デバイスは、入力デバイスと同じタイプのインタフェースポートを使用することができる。例えば、ＵＳＢポートを使用して、ＵＥ２００との間で入力および出力を行うことができる。出力デバイスは、スピーカ、サウンドカード、ビデオカード、ディスプレイ、モニタ、プリンタ、アクチュエータ、エミッタ、スマートカード、他の出力デバイス、またはそれらの任意の組み合わせであり得る。ＵＥ２００は、ユーザがＵＥ２００に情報をキャプチャすることを可能にするために、入力/出力インターフェース２０５を介して入力デバイスを使用するように構成され得る。入力デバイスはタッチセンシティブまたはプレゼンスセンシティブディスプレイ、カメラ（例えば、デジタルカメラ、デジタルビデオカメラ、ウェブカメラなど）、マイクロフォン、センサ、マウス、トラックボール、方向パッド、トラックパッド、スクロールホイール、スマートカードなどを含むことができる。プレゼンスセンシティブディスプレイは、ユーザからの入力を感知するための容量性または抵抗性タッチセンサを含むことができる。センサは例えば、加速度計、ジャイロスコープ、傾斜センサ、力センサ、磁力計、光学センサ、近接センサ、別の同様のセンサ、またはそれらの任意の組合せとすることができる。例えば、入力装置は、加速度計、磁力計、デジタルカメラ、マイクロフォン、および光センサであってもよい。
【００７８】
図７では、ＲＦインターフェース２０９は、送信機、受信機、およびアンテナなどのＲＦ構成要素に通信インターフェースを提供するように構成されてもよい。ネットワーク接続インターフェース２１１は、ネットワーク２４３ａへの通信インターフェースを提供するように構成され得る。ネットワーク２４３ａは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはそれらの任意の組合せなどの有線および/または無線ネットワークを含むことができる。例えば、ネットワーク２４３ａは、Ｗｉ-Ｆｉネットワークを構成することができる。ネットワーク接続インターフェース２１１は、イーサネット（登録商標）、ＴＣＰ/ＩＰ、ＳＯＮＥＴ、ＡＴＭなどの１つ以上の通信プロトコルに従って、通信ネットワークを介して１つ以上の他のデバイスと通信するために使用される受信機および送信機インターフェースを含むように構成され得る。ネットワーク接続インターフェース２１１は通信ネットワークリンク（例えば、光、電気など）に適切な受信機および送信機機能を実装し得る。送信機機能および受信機機能は回路構成要素、ソフトウェア、またはファームウェアを共有することができ、あるいは、別々に実装することができる。
【００７９】
ＲＡＭ２１７は、オペレーティングシステム、アプリケーションプログラム、およびデバイスドライバなどのソフトウェアプログラムの実行中にデータまたはコンピュータ命令の記憶またはキャッシュを提供するために、バス２０２を介して処理回路２０１にインターフェースするように構成することができる。ＲＯＭ２１９は、コンピュータ命令またはデータを処理回路２０１に提供するように構成することができる。例えば、ＲＯＭ２１９は、不揮発性メモリに記憶されたキーボードからの基本的な入出力、スタートアップ、またはキーストロークの受信のような基本的なシステム機能のための不変な低レベルのシステムコードまたはデータを記憶するように構成されてもよい。記憶媒体２２１は、ＲＡＭ、ＲＯＭ、フィールドプログラマブルゲートアレイ読出し専用メモリ、消去可能フィールドプログラマブルゲートアレイ読出し専用メモリ、電気的消去可能フィールドプログラマブルゲートアレイ読出し専用メモリ、磁気ディスク、光ディスク、フロッピーディスク、ハードディスク、リムーバブルカートリッジ、またはフラッシュドライブなどのメモリを含むように構成することができる。一例では、記憶媒体２２１がオペレーティングシステム２２３、ウェブブラウザアプリケーション、ウィジェットまたはガジェットエンジンまたは別のアプリケーションなどのアプリケーションプログラム２２５、およびデータファイル２２７を含むように構成することができる。記憶媒体２２１はＵＥ２００によって使用するために、様々なオペレーティングシステムのうちの任意のもの、またはオペレーティングシステムの組合せを記憶することができる。
【００８０】
記憶媒体２２１は、独立ディスクの冗長アレイ（ＲＡＩＤ）、フロッピー（登録商標）ディスクドライブ、フラッシュメモリ、ＵＳＢフラッシュドライブ、外部ハードディスクドライブ、サムドライブ、ペンドライブ、キードライブ、高密度デジタル多用途ディスク（ＨＤ−ＤＶＤ）光ディスクドライブ、内部ハードディスクドライブ、ブルーレイ光ディスクドライブ、ホログラフィックデジタルデータストレージ（ＨＤＤＳ）光ディスクドライブ、外部ミニデュアルインラインメモリモジュール（ＤＩＭＭ）、同期ダイナミックランダムアクセスメモリ（ＳＤＲＡＭ）、外部マイクロＤＩＭＭ ＳＤＲＡＭ、加入者識別モジュールまたは取り外し可能ユーザ識別（ＳＩＭ/ＲＵＩＭ）モジュールなどのスマートカードメモリ、他のメモリ、またはそれらの任意の組合せなど、複数の物理駆動部含むように構成され得る。記憶媒体２２１はＵＥ２００が一時的または非一時的記憶媒体に記憶されたコンピュータ実行可能命令、アプリケーションプログラム等にアクセスし、データをオフロードし、またはデータをアップロードすることを可能にし得る。通信システムを利用するものなどの製造品は、デバイス可読媒体を備えることができる記憶媒体２２１内に有形に具現化することができる。
【００８１】
図７では、処理回路２０１は、通信サブシステム２３１を使用してネットワーク２４３ｂと通信するように構成され得る。ネットワーク２４３ａおよびネットワーク２４３ｂは、同じネットワークであってもよいし、異なるネットワークであってもよい。通信サブシステム２３１は、ネットワーク２４３ｂと通信するために使用される１つ以上のトランシーバを含むように構成することができる。例えば、通信サブシステム２３１は、ＩＥＥＥ ８０２．２、ＣＤＭＡ、ＷＣＤＭＡ、ＧＳＭ、ＬＴＥ、ＵＴＲＡＮ、ＷｉＭａｘなどの１つ以上の通信プロトコルに従って、無線アクセスネットワーク（ＲＡＮ）の別のＷＤ、ＵＥ、または基地局などの無線通信が可能な別の装置の１つ以上のリモートトランシーバと通信するために使用される１つ以上のトランシーバを含むように構成することができる。各トランシーバは、ＲＡＮリンク（例えば、周波数割り当てなど）に適切な送信機または受信機機能をそれぞれ実装するために、送信機２３３および/または受信機２３５を含んでもよい。さらに、各トランシーバの送信機２３３および受信機２３５は回路構成要素、ソフトウェア、またはファームウェアを共有してもよく、あるいは別々に実装されてもよい。
【００８２】
図示の実施形態では、通信サブシステム２３１の通信機能は、データ通信、音声通信、マルチメディア通信、Ｂｌｕｅｔｏｏｔｈなどの短距離通信、近距離通信、位置を決定するための全地球測位システム（ＧＰＳ）の使用などの位置ベース通信、別の同様の通信機能、またはそれらの任意の組合せを含むことができる。例えば、通信サブシステム２３１は、セルラー通信、Ｗｉ−Ｆｉ通信、Ｂｌｕｅｔｏｏｔｈ通信、およびＧＰＳ通信を含むことができる。ネットワーク２４３ｂは、ローカルエリアネットワーク（ＬＡＮ）、ワイドエリアネットワーク（ＷＡＮ）、コンピュータネットワーク、無線ネットワーク、電気通信ネットワーク、別の同様のネットワーク、またはそれらの任意の組合せなどの有線および/または無線ネットワークを含むことができる。例えば、ネットワーク２４３ｂは、セルラーネットワーク、Ｗｉ-Ｆｉネットワーク、および/または近距離無線ネットワークであってもよい。電源２１３は、ＵＥ２００の構成要素に交流（ＡＣ）又は直流（ＤＣ）電力を供給するように構成することができる。
【００８３】
本明細書で説明される特徴、利点、および/または機能は、ＵＥ２００の構成要素のうちの１つにおいて実装され得るか、またはＵＥ２００の複数の構成要素にわたって区分され得る。さらに、本明細書で説明される特徴、利点、および/または機能は、ハードウェア、ソフトウェア、またはファームウェアの任意の組合せで実装され得る。一例では、通信サブシステム２３１が本明細書で説明される構成要素のいずれかを含むように構成され得る。さらに、処理回路２０１は、バス２０２を介してそのような構成要素のいずれかと通信するように構成されてもよい。別の例では、そのような構成要素のいずれも、処理回路２０１によって実行されるときに本明細書で説明される対応する機能を実行する、メモリに格納されたプログラム命令によって表され得る。別の実施形態では、そのような構成要素のいずれかの機能が処理回路２０１と通信サブシステム２３１との間で区分され得る。別の例ではそのような構成要素のいずれかの計算集約的でない機能がソフトウェアまたはファームウェアで実装されてもよく、計算集約的な機能はハードウェアで実装されてもよい。
【００８４】
図８は、いくつかの実施形態によって実装される機能を仮想化することができる仮想化環境３００を示す概略ブロック図である。本文脈では、仮想化手段が仮想化ハードウエアプラットフォーム、記憶装置、およびネットワーキングリソースを含むことができる装置またはデバイスの仮想バージョンを作成する。本明細書で使用されるように、仮想化はノード（例えば、仮想化された基地局または仮想化された無線アクセスノード）またはデバイス（例えば、ＵＥ、無線デバイス、または任意の他のタイプの通信デバイス）またはそれらのコンポーネントに適用されることができ、機能の少なくとも一部が１つ以上の仮想コンポーネントとして（例えば、１つ以上のネットワーク内の１つ以上の物理処理ノード上で実行される１つ以上のアプリケーション、コンポーネント、機能、仮想マシン、またはコンテナを介して）実装される実装形態に関係する。
【００８５】
いくつかの実施形態において、本明細書に記載する機能の一部または全部は、１つ以上のハードウェアノード３３０によってホストされる１つ以上の仮想環境３００内に実装される１つ以上の仮想マシンによって実行される仮想コンポーネントとして実装することができる。さらに、仮想ノードが無線アクセスノードでないか、または無線接続性を必要としない実施形態（例えば、コアネットワークノード）では、ネットワークノードを完全に仮想化することができる。
【００８６】
機能は、本明細書で開示される実施形態のいくつかの特徴、機能、および/または利益のいくつかを実装するように動作する１つ以上のアプリケーション３２０（代替として、ソフトウェアインスタンス、仮想アプライアンス、ネットワーク機能、仮想ノード、仮想ネットワーク機能などと呼ばれ得る）によって実装され得る。アプリケーション３２０は、処理回路３６０およびメモリ３９０を備えるハードウェア３３０を提供する仮想化環境３００において実行される。メモリ３９０は処理回路３６０によって実行可能な命令３９５を含み、それによって、アプリケーション３２０は、本明細書で開示される特徴、利点、および/または機能のうちの１つ以上を提供するように動作可能である。
【００８７】
仮想化環境３００は、市販の既製（ＣＯＴＳ）プロセッサ、専用特定用途向け集積回路（ＡＳＩＣ）、またはデジタルもしくはアナログハードウェア構成要素もしくは専用プロセッサを含む任意の他のタイプの処理回路であってもよい、１つ以上のプロセッサまたは処理回路３６０の設定を備える汎用または専用ネットワークハードウェアデバイス３３０を備える。各ハードウェアデバイスは、処理回路３６０によって実行される命令３９５またはソフトウェアを一時的に格納するための非永続的メモリであり得るメモリ３９０−１を備え得る。各ハードウェア装置は、物理ネットワークインターフェース３８０を含む、ネットワークインタフェースカードとも呼ばれる、１つ以上のネットワークインターフェースコントローラ（ＮＩＣ）３７０を含むことができる。各ハードウェアデバイスはまた、ソフトウェア３９５および/または処理回路３６０によって実行可能な命令を格納した、非一時的な、永続的な、マシン可読記憶媒体３９０−２を含むことができる。ソフトウェア３９５は、１つ以上の仮想化レイヤ３５０（ハイパーバイザとも呼ばれる）をインスタンス化するためのソフトウェア、仮想マシン３４０を実行するためのソフトウェア、ならびに本明細書で説明されるいくつかの実施形態に関連して説明される機能、特徴、および/または利益を実行することを可能にするソフトウェアを含む、任意のタイプのソフトウェアを含むことができる。
【００８８】
仮想マシン３４０は仮想処理、仮想メモリ、仮想ネットワークワーキングまたはインターフェースおよび仮想ストレージを含み、対応する仮想化レイヤ３５０またはハイパーバイザによって実行されてもよい。仮想アプライアンス３２０のインスタンスの異なる実施形態は１つ以上の仮想マシン３４０上で実装されてもよく、実装は異なる方法で行われてもよい。
【００８９】
動作中、処理回路３６０は、仮想マシンモニタ（ＶＭＭ）と呼ばれることもあるハイパーバイザまたは仮想化レイヤ３５０をインスタンス化するためにソフトウェア３９５を実行する。仮想化レイヤ３５０は、ネットワークハードウェアのように見える仮想オペレーティングプラットフォームを仮想マシン３４０に提示することができる。
【００９０】
図８に示すように、ハードウェア３３０は、一般的または特定の構成要素を有するスタンドアロンネットワークノードであってもよい。ハードウェア３３０は、アンテナ３２２５を備えることができ、仮想化を介していくつかの機能を実装することができる。あるいは、ハードウェア３３０が多くのハードウェアノードが協働し、特にアプリケーション３２０のライフサイクル管理を監督する管理および編成（ＭＡＮＯ（management and orchestration））３１００を介して管理される、より大きなハードウェアクラスタの一部であってもよい（例えば、データセンターまたは顧客構内機器（ＣＰＥ）内など）。
【００９１】
ハードウェアの仮想化は、いくつかの状況ではネットワーク機能仮想化（ＮＦＶ）と呼ばれる。ＮＦＶは、多くのネットワーク機器タイプを、業界標準の大容量サーバハードウェア、物理スイッチ、およびデータセンター内に配置することができる物理ストレージ、ならびに顧客構内機器に統合するために使用することができる。
【００９２】
ＮＦＶの文脈では、仮想マシン３４０があたかも物理的な仮想化されていないマシン上で実行されているかのようにプログラムを実行する物理マシンのソフトウェア実装であってもよい。仮想マシン３４０の各々、およびその仮想マシンを実行するハードウェア３３０のその部分はその仮想マシン専用のハードウェアであり、および/または、その仮想マシンによって仮想マシン３４０の他のものと共有されるハードウェアであり、別個の仮想ネットワーク要素（ＶＮＥ）を形成する。
【００９３】
なお、ＮＦＶの文脈では、仮想ネットワーク機能（ＶＮＦ）がハードウェアネットワークインフラストラクチャ３３０上の１つ以上の仮想マシン３４０で実行され、図８のアプリケーション３２０に対応する特定のネットワーク機能を処理する責任がある。
【００９４】
いくつかの実施形態では、それぞれが１つ以上の送信機３２２０および１つ以上の受信機３２１０を含む１つ以上の無線ユニット３２００が１つ以上のアンテナ３２２５に結合され得る。無線装置３２００は１つ以上の適切なネットワークインターフェースを介してハードウェアノード３３０と直接通信することができ、仮想構成要素と組み合わせて使用して、無線アクセスノードまたは基地局などの無線機能を仮想ノードに提供することができる。
【００９５】
いくつかの実施形態では、いくつかの信号がハードウェアノード３３０と無線ユニット３２００との間の通信のために代替的に使用され得る制御システム３２３０を使用して実施され得る。
【００９６】
図９は、特定の実施形態による、中間ネットワークを介してホストコンピュータに接続された電気通信ネットワークの一例を示す。図９を参照すると、一実施形態によれば、通信システムは、無線アクセスネットワークなどのアクセスネットワーク４１１と、コアネットワーク４１４とを備える、３ＧＰＰタイプのセルラーネットワークなどの電気通信ネットワーク４１０を含む。アクセスネットワーク４１１はＮＢ、ｅＮＢ、ｇＮＢ、または他のタイプの無線アクセスポイントなどの複数の基地局４１２ａ、４１２ｂ、４１２ｃを備え、それぞれは対応するカバレッジエリア４１３ａ、４１３ｂ、４１３ｃを定義する。各基地局４１２ａ、４１２ｂ、４１２ｃは、有線または無線接続４１５を介してコアネットワーク４１４に接続可能である。カバレッジエリア４１３ｃに位置する最初のＵＥ４９１は、対応する基地局４１２ｃと無線で接続されるか、またはポケットベルされるように構成されている。カバレッジエリア４１３ａ内の第２のＵＥ４９２は、対応する基地局４１２ａに無線で接続可能である。本例では複数のＵＥ４９１、４９２が図示されているが、開示された実施形態は単独のＵＥがカバレッジエリア内にある状況、または単独のＵＥが対応する基地局４１２に接続している状況に等しく適用可能である。
【００９７】
電気通信ネットワーク４１０はそれ自体、ホストコンピュータ４３０に接続されており、それは、スタンドアローンサーバー、クラウド実行サーバー、分散サーバー、またはサーバーファームにおける処理リソースのハードウェア及び/又はソフトウェアに具体化され得る。ホストコンピュータ４３０はサービスプロバイダーの所有権または制御下にあってもよいし、サービスプロバイダーによって、またはサービスプロバイダーの代わりに操作されてもよい。電気通信ネットワーク４１０とホストコンピュータ４３０との間のコネクション４２１および４２２は、コアネットワーク４１４からホストコンピュータ４３０まで直接延びてもよく、あるいは任意の中間ネットワーク４２０を介して延びてもよい。中間ネットワーク４２０はパブリック、私設またはホストされたネットワークのうちの１つまたはそれ以上の組合せであってもよい。中間ネットワーク４２０はもしあれば、バックボーンネットワークまたはインターネットであってもよい。特に、中間ネットワーク４２０は、２つ以上のサブネットワーク（図示せず）を含んでもよい。
【００９８】
図９の通信システム全体は、接続されたＵＥ４９１、４９２とホストコンピュータ４３０との間のコネクティビティを可能にする。接続性は、オーバー・ザ・トップ（ＯＴＴ）コネクション４５０として説明することができる。ホストコンピュータ４３０および接続されたＵＥ４９１、４９２は、アクセスネットワーク４１１、コアネットワーク４１４、任意の中間ネットワーク４２０、および可能なさらなるインフラストラクチャ（図示せず）を介在物として使用して、ＯＴＴコネクション４５０を介してデータおよび/またはシグナリングを通信するように構成される。ＯＴＴコネクション４５０は、ＯＴＴコネクション４５０が通過する参加通信デバイスがアップリンク通信およびダウンリンク通信のルーティングに気付かないという意味で、トランスペアレント（透過的）であり得る。例えば、基地局４１２は接続されたＵＥ４９１に転送される（例えば、ハンドオーバされる）ためにホストコンピュータ４３０から発信されるデータをもつ入来ダウンリンク通信の過去のルーティングについて知らされる必要はない。同様に、基地局４１２は、ＵＥ４９１からホストコンピュータ４３０へ向かう発信アップリンク通信の将来のルーティングを認識する必要はない。
【００９９】
図１０は、いくつかの実施形態による、基地局を介して部分無線接続を介してユーザ装置と通信するホストコンピュータを示す。通信システム５００では、ホストコンピュータ５１０が通信システム５００の異なる通信デバイスのインターフェースとの有線または無線接続をセットアップおよび維持するように構成された通信インターフェース５１６を含むハードウェア５１５を備える。ホストコンピュータ５１０は、記憶および/または処理能力を有することができる処理回路５１８をさらに備える。特に、処理回路５１８は、命令を実行するように構成された１つ以上のプログラマブルプロセッサ、特定用途向け集積回路、フィールドプログラマブルゲートアレイまたはこれらの組み合わせ（図示せず）を含んでもよい。ホストコンピュータ５１０はさらにソフトウェア５１１を構成し、それがホストコンピュータ５１０に記憶されるか、アクセス可能であり、処理回路５１８によって実行可能である。ソフトウェア５１１は、ホストアプリケーション５１２を含む。ホストアプリケーション５１２は、ＵＥ５３０およびホストコンピュータ５１０で終端するＯＴＴコネクション５５０を介してコネクションするＵＥ５３０などのリモートユーザにサービスを提供するように動作可能であってもよい。リモートユーザにサービスを提供する際に、ホストアプリケーション５１２は、ＯＴＴコネクション５５０を使用して送信されるユーザデータを提供することができる。
【０１００】
通信システム５００はさらに、遠隔通信システム内に設けられ、ホストコンピュータ５１０およびＵＥ５３０と通信することを可能にするハードウェア５２５を含む基地局５２０を含む。ハードウェア５２５は、通信システム５００の異なる通信デバイスのインターフェースとの有線または無線接続をセットアップおよび維持するための通信インターフェース５２６、ならびに基地局５２０によってサービスされるカバレッジエリア（図５には示されていない）内に位置するＵＥ５３０との少なくとも無線接続５７０をセットアップおよび維持するための無線インターフェース５２７を含み得る。通信インターフェース５２６は、ホストコンピュータ５１０へのコネクション５６０を容易にするように構成することができる。コネクション５６０は直接的であってもよいし、電気通信システムのコアネットワーク（図５には示されていない）を通過してもよいし、および/または電気通信システムの外部の１つ以上の中間ネットワークを通過してもよい。図示の実施形態では、基地局５２０のハードウェア５２５が１つ以上のプログラマブルプロセッサ、特定用途向け集積回路、フィールドプログラマブルゲートアレイ、または命令を実行するように適合されたこれら（図示せず）の組み合わせを含み得る処理回路５２８をさらに含む。さらに、基地局５２０は、内部に記憶されるか、または外部接続を介してアクセス可能なソフトウェア５２１を有する。
【０１０１】
通信システム５００は、既に言及したＵＥ５３０をさらに含む。そのハードウェア５３５はＵＥ５３０が現在位置するカバレッジエリアにサービスを提供する基地局との無線接続５７０をセットアップし、維持するように構成された無線インターフェース５３７を含み得る。ＵＥ５３０のハードウェア５３５は、命令を実行するように適合された１つ以上のプログラマブルプロセッサ、特定用途向け集積回路、フィールドプログラマブルゲートアレイ、またはこれらの組合せ（図示せず）を備えることができる処理回路５３８をさらに含む。ＵＥ５３０はさらにソフトウェア５３１を構成し、これらはＵＥ５３０内に記憶されるかアクセス可能であり、また、処理回路５３８によって実行可能である。ソフトウェア５３１は、クライアントアプリケーション５３２を含む。クライアントアプリケーション５３２は、ホストコンピュータ５１０のサポートを受けて、ＵＥ５３０を介して人間または非人間のユーザにサービスを提供するように動作可能である。ホストコンピュータ５１０において、実行中のホストアプリケーション５１２は、ＵＥ５３０およびホストコンピュータ５１０で終了するＯＴＴコネクション５５０を介して実行中のクライアントアプリケーション５３２と通信することができる。ユーザにサービスを提供する際に、クライアントアプリケーション５３２はホストアプリケーション５１２から要求データを受信し、要求データに応答してユーザデータを提供することができる。ＯＴＴコネクション５５０は、要求データおよびユーザデータの両方を転送することができる。クライアントアプリケーション５３２は、ユーザと対話して、ユーザが提供するユーザデータを生成することができる。
【０１０２】
図５に示されるホストコンピュータ５１０、基地局５２０、およびＵＥ５３０は、それぞれ、ホストコンピュータ４３０、基地局４１２ａ、４１２ｂ、４１２ｃのうちの１つ、および図９のＵＥ４９１、４９２のうちの１つと類似または同一であり得ることに留意されたい。すなわち、これらのエンティティの内部動作は図９に示されるようなものであってもよく、独立して、周囲のネットワークトポロジは図９のものであってもよい。
【０１０３】
図９ではＯＴＴコネクション５５０を抽象的に描いて、基地局５２０を介したホストコンピュータ５１０とＵＥ５３０との間の通信を示しているが、いかなる中間デバイスも明示的に基準せず、これらのデバイスを介したメッセージの正確なルーティングも示していない。ネットワークインフラストラクチャはルーティングを決定してもよく、ルーティングはＵＥ５３０から、またはサービスプロバイダオペレーティングホストコンピュータ５１０から、あるいはその両方から隠すように構成されてもよい。ＯＴＴコネクション５５０がアクティブである間、ネットワークインフラストラクチャは（例えば、負荷分散の考慮またはネットワークの再構成に基づいて）ネットワークインフラストラクチャがルーティングを動的に変更する決定をさらに行うことができる。
【０１０４】
ＵＥ５３０と基地局５２０との間の無線接続５７０は、本開示全体にわたって説明される実施形態の教示に従う。様々な実施形態のうちの１つ以上は、無線接続５７０が最後のセグメントを形成するＯＴＴコネクション５５０を使用して、ＵＥ５３０に提供されるＯＴＴサービスの性能を改善する。より正確には、これらの実施形態の教示が適切な信号品質を保証することができ、それによって、ユーザ待ち時間の短縮および応答性の向上などの利点を提供することができる。
【０１０５】
１つ以上の実施形態が改善するデータレート、待ち時間、および他の要因を監視する目的で、測定手順を提供することができる。さらに、測定結果の変動に応答して、ホストコンピュータ５１０とＵＥ５３０との間のＯＴＴコネクション５５０を再構成するためのオプションのネットワーク機能があってもよい。ＯＴＴコネクション５５０を再構成するための測定手順および/またはネットワーク機能は、ホストコンピュータ５１０のソフトウェア５１１およびハードウェア５１５、またはソフトウェア５３１およびＵＥ５３０のハードウェア５３５、あるいはその両方で実施することができる。いくつかの実施形態ではセンサ（図示せず）は、ＯＴＴコネクション５５０が通過する通信デバイス内に、またはそれに関連して配備することができ、センサは上で例示した監視量の値を供給することによって、またはソフトウェア５１１、５３１が監視量を計算または推定することができる他の物理量の値を供給することによって、測定手順に関与することができる。ＯＴＴコネクション５５０の再構成はメッセージフォーマット、再送信設定、好ましいルーティングなどを含むことができ、再構成は、基地局５２０に影響を及ぼす必要はなく、基地局５２０には知られていないか、または知覚できないことがある。このような手順および機能性は当技術分野で公知であり、実践され得る。特定の実施形態では、測定がホストコンピュータ５１０のスループット、伝搬時間、待ち時間などの測定を容易にする独自のＵＥシグナリングを含むことができる。測定は、ソフトウェア５１１および５３１が伝搬時間、エラーなどを監視しながら、ＯＴＴコネクション５５０を使用して、メッセージ、特に空または「ダミー」メッセージを送信させることによって実施することができる。
【０１０６】
図１１は、一実施形態による、通信システムにおいて実施される方法を示すフローチャートである。通信システムは、ホストコンピュータ、基地局、および図９および図１０を参照して説明したＵＥを含む。本開示を簡単にするために、図１１に対する図面参照のみがこのセクションに含まれる。ステップ６１０において、ホストコンピュータはユーザデータを提供する。ステップ６１０のサブステップ６１１（オプションであってもよい）では、ホストコンピュータがホストアプリケーションを実行することによってユーザデータを提供する。ステップ６２０において、ホストコンピュータは、ユーザデータをＵＥに搬送する送信を開始する。ステップ６３０（オプションであってもよい）において、基地局は、本開示全体にわたって説明される実施形態の教示に従って、ホストコンピュータが開始した送信において搬送されたユーザデータをＵＥに送信する。ステップ６４０（オプションであってもよい）において、ＵＥは、ホストコンピュータによって実行されるホストアプリケーションに関連付けられたクライアントアプリケーションを実行する。
【０１０７】
図１２は、一実施形態による、通信システムにおいて実施される方法を示すフローチャートである。通信システムは、ホストコンピュータ、基地局、および図９および図１０を参照して説明したＵＥを含む。本開示を簡単にするために、図１２に対する図面参照のみがこのセクションに含まれる。本方法のステップ７１０において、ホストコンピュータはユーザデータを提供する。任意のサブステップ（図示せず）において、ホストコンピュータがホストアプリケーションを実行することによってユーザデータを提供する。ステップ７２０において、ホストコンピュータは、ユーザデータをＵＥに搬送送信を開始する。送信は、本開示全体にわたって説明される実施形態の教示に従って、基地局を介して渡され得る。ステップ７３０（任意であってもよい）において、ＵＥは、送信において搬送されたユーザデータを受信する。
【０１０８】
図１３は、一実施形態による、通信システムにおいて実施される方法を示すフローチャートである。通信システムは、ホストコンピュータ、基地局、および図９および図１０を参照して説明したＵＥを含む。本開示を簡単にするために、図１３に対する図面参照のみがこのセクションに含まれる。ステップ８１０（オプションであってもよい）において、ＵＥは、ホストコンピュータによって提供された入力データを受信する。さらに、または代替的に、ステップ８２０で、ＵＥはユーザデータを提供する。ステップ８２０のサブステップ８２１（オプションであってもよい）において、ＵＥは、クライアントアプリケーションを実行することによってユーザデータを提供する。ステップ８１０のサブステップ８１１（オプションであってもよい）において、ＵＥは、ホストコンピュータによって提供された受信入力データに応答してユーザデータを提供するクライアントアプリケーションを実行する。ユーザデータを提供する際に、実行されるクライアントアプリケーションは、ユーザから受け取ったユーザ入力をさらに考慮することができる。ユーザデータが提供された特定の方法にかかわらず、ＵＥは、サブステップ８３０において、ユーザデータのホストコンピュータへの送信を開始する。本方法のステップ８４０において、ホストコンピュータは、本開示全体にわたって説明される実施形態の教示に従って、ＵＥから送信されたユーザデータを受信する。
【０１０９】
図１４は、一実施形態による、通信システムにおいて実施される方法を示すフローチャートである。通信システムは、ホストコンピュータ、基地局、および図９および図１０を参照して説明したＵＥを含む。本開示を簡単にするために、図１４に対する図面参照のみがこのセクションに含まれる。ステップ９１０（オプションであってもよい）において、本開示全体にわたって説明される実施形態の教示に従って、基地局は、ＵＥからユーザデータを受信する。ステップ９２０（オプションであってもよい）において、基地局は、受信されたユーザデータのホストコンピュータへの送信を開始する。ステップ９３０（任意であってもよい）において、ホストコンピュータは、基地局によって開始された送信において搬送されたユーザデータを受信する。
【０１１０】
本明細書で開示される任意の適切なステップ、方法、特徴、機能、または利益は、１つ以上の仮想装置の１つ以上の機能ユニットまたはモジュールを介して実行され得る。各仮想装置は、いくつかのこれらの機能ユニットを備えることができる。これらの機能ユニットは、１つ以上のマイクロプロセッサまたはマイクロコントローラを含むことができる処理回路、ならびにデジタル信号プロセッサ（ＤＳＰ）、専用デジタル論理などを含むことができる他のデジタルハードウェアを介して実装することができる。処理回路は、読み出し専用メモリ（ＲＯＭ）、ランダムアクセスメモリ（ＲＡＭ）、キャッシュメモリ、フラッシュメモリデバイス、光記憶デバイスなどの１つ以上のタイプのメモリを含むことができる、メモリに格納されたプログラムコードを実行するように構成することができる。メモリに格納されたプログラムコードは、１つ以上の電気通信および/またはデータ通信プロトコルを実行するためのプログラム命令、ならびに本明細書で説明される技法のうちの１つ以上を実行するための命令を含む。いくつかの実装形態では、処理回路がそれぞれの機能ユニットに、本開示の１つ以上の実施形態による対応する機能を実行させるために使用され得る。
【０１１１】
図１５は、特定の実施形態による、システムによるＳＰＳ解放に関連するＨＡＲＱ−ＡＣＫビットを生成するための方法を示す。特定の実施形態によれば、システムは、仮想化されたシステムであってもよい。特定の実施の形態によれば、この方法は、ステップ１００２において、ＳＰＳ解放が、セルのために設定されたＣＢＧフィードバックを有するセルに関連付けられていることを決定することから開始する。方法は、ＳＰＳ解放に関連付けられている少なくとも１つのＨＡＲＱ−ＡＣＫビットをコードブック内に配置することによって、ステップ１００４に進む。特定の実施形態では、コードブックは、ＣＢＧベースのコードブックまたはＴＢベースのサブコードブックである。特定の実施形態では、少なくとも１つのＨＡＲＱ−ＡＣＫビットは、予約ビットの設定されたおよび/または予め定義された値を含む。
【０１１２】
特定の実施形態によれば、ステップ１００２、１００４、および１００６を繰り返し実行して、ＳＰＳ解放に関連付けられたＨＡＲＱ−ＡＣＫビットを生成することができる。
【０１１３】
図１６は、特定の実施形態による、システムによるＳＰＳ解放に関連付けられたＨＡＲＱ−ＡＣＫビットまたは他のビットを生成するための、無線デバイスによる別の方法を示す。ステップ１１０２において、無線デバイスは、ＳＰＳ解放が、セルのために設定されたＣＢＧフィードバックを有するセルに関連付けられていることを決定する。ステップ１１０４において、ＳＰＳ解放に関連付けられた少なくとも１つのＨＡＲＱ−ＡＣＫビットが、コードブックのトランスポートブロック（ＴＢ）ベースのサブコードブック内に配置される。
【０１１４】
特定の実施形態では、コードブックは、コードブックのＣＢＧベースのサブコードブックをさらに含む。
【０１１５】
特定の実施形態では、方法は、無線デバイスがＳＰＳ解放毎に少なくとも１つのＨＡＲＱ−ＡＣＫビットを生成することをさらに含み得る。
【０１１６】
特定の実施形態では、ＳＰＳ解放が、セルのために設定されたＣＢＧフィードバックを有するセルに関連付けられていることを決定するとき、無線デバイスは、ネットワークノードから、セルのためのＣＢＧフィードバックのために無線デバイスを設定する第１のメッセージを受信し得る。また、無線デバイスは、ネットワークノードから、ＳＰＳ解放がセルに関連付けられていることを示す第２のメッセージを受信し得る。
【０１１７】
特定の実施形態では、方法は、無線デバイスがネットワークノードからＤＡＩを受信することをさらに含み、ＤＡＩはＳＰＳ解放に基づいて更新される。
【０１１８】
特定の実施形態では、方法は、無線デバイスが、ＰＤＣＣＨに含まれる少なくとも１つのＤＡＩ値を、コードブックのＴＢベースのＨＡＲＱサブコードブックに関連付けることをさらに含むことができ、ＰＤＣＣＨはＳＰＳ解放を搬送する同じＰＤＣＣＨである。
【０１１９】
特定の実施形態では、少なくとも１つのＨＡＲＱ−ＡＣＫビットは、予約ビットの設定されたおよび/または予め定義された値を含む。
【０１２０】
図１７は、無線ネットワーク（例えば、図４に示される無線ネットワーク）における装置１２００の概略ブロック図を示す。無線デバイス装置またはネットワークノード（例えば、図４に示す無線装置１１０またはネットワークノード１６０）内に実装されてもよい。装置１２００は、図１５および/または図１６を参照して説明された例示的な方法、および場合によっては本明細書で開示された任意の他のプロセスまたは方法を実行するように動作可能である。図１５および図１６の方法は、必ずしも装置１２００によってのみ実行されるわけではないことも理解されるべきである。本方法の少なくともいくつかの動作は、１つ以上の他のエンティティによって実行することができる。
【０１２１】
仮想装置１２００は、１つ以上のマイクロプロセッサまたはマイクロコントローラ、ならびにデジタル信号プロセッサ（ＤＳＰ）、専用デジタルロジックを含むことができる他のデジタルハードウェアを含むことができる処理回路を備えることができる。処理回路は、読み出し専用メモリ（ＲＯＭ）、ランダムアクセスメモリ、キャッシュメモリ、フラッシュメモリデバイス、光記憶デバイスなどの１つまたはいくつかのタイプのメモリを含み得る、メモリに格納されたプログラムコードを実行するように構成され得る。メモリに格納されたプログラムコードは、いくつかの実施形態では１つ以上の電気通信および/またはデータ通信プロトコルを実行するためのプログラム命令、ならびに本明細書で説明される技法のうちの１つ以上を実行するための命令を含む。いくつかの実装形態では、処理回路は、決定ユニット１２０２、配置ユニット１２０４、および装置１２００の任意の他の適切なユニットに、本開示の１つ以上の実施形態による対応する機能を実行させるために使用され得る。
【０１２２】
図１７に示すように、装置１２００は、決定ユニット１２０２および配置ユニット１２０４を含む。特定の実施形態では例えば、決定ユニット１２０２は、ＳＰＳ解放が、セルのために設定されたＣＢＧフィードバックを有するセルに関連付けられていると決定することができ、配置ユニット１２０４は、コードブック内に、ＳＰＳ解放に関連付けられた少なくとも１つのＨＡＲＱ−ＡＣＫビットを配置することができる。別の例として、特定の実施形態では、決定ユニット１２０２は、ＳＰＳ解放が、セルのために設定されたＣＢＧフィードバックを有するセルに関連付けられていると決定することができ、配置ユニット１２０４は、コードブックのトランスポートブロック（ＴＢ）ベースのサブコードブック内に、ＳＰＳ解放に関連付けられた少なくとも１つのＨＡＲＱ−ＡＣＫビットを配置することができる。
【０１２３】
ユニットという用語は、電子機器、電気デバイス、および/または電子デバイスの分野において従来の意味を有することができ、たとえば、本明細書で説明されるような、電気および/または電子回路、デバイス、モジュール、プロセッサ、メモリ、論理ソリッドステートおよび/またはディスクリートデバイス、それぞれのタスク、手順、計算、出力、および/または表示機能などを実行するためのコンピュータプログラムまたは命令を含むことができる。
【０１２４】
図１８は、ＳＰＳ解放に関連付けられたＨＡＲＱ−ＡＣＫビットを受信するためのネットワークノードによる方法を示す。方法は、ネットワークノードが、セルのために設定されたＣＢＧフィードバックを有するセルにＳＰＳ解放が関連付けられているというインジケータ（指示／指標）を無線デバイスに送信するときに、ステップ１３０２で開始する。ステップ１３０４で、ネットワークノードは、コードブックのＴＢベースのサブコードブック内のＳＰＳ解放に関連付けられた少なくとも１つのＨＡＲＱ−ＡＣＫビットを無線デバイスから受信する。
【０１２５】
特定の実施形態では、コードブックは、コードブックのＣＢＧベースのサブコードブックをさらに含む。
【０１２６】
特定の実施形態では、少なくとも１つのＨＡＲＱ−ＡＣＫビットは、ＳＰＳ解放毎である。
【０１２７】
特定の実施形態では、方法は、ＳＰＳ解放のインジケーションと共に、ＤＡＩを無線デバイスに送信するネットワークノードをさらに含むことができる。ＤＡＩはＳＰＳ解放に基づいて更新される。
【０１２８】
特定の実施形態では、方法は、ＰＤＣＣＨに含まれる少なくとも１つのＤＡＩ値を、コードブックのＴＢベースのＨＡＲＱサブコードブックに関連付けるネットワークノードをさらに含むことができる。
【０１２９】
特定の実施形態では、少なくとも１つのＨＡＲＱ−ＡＣＫビットは、予約ビットの設定されたおよび/または予め定義された値を含む。
【０１３０】
図１９は、無線ネットワーク（例えば、図４に示される無線ネットワーク）における装置１４００の概略ブロック図を示す。無線デバイスまたはネットワークノード（例えば、図４に示す無線デバイス１１０またはネットワークノード１６０）内に実装されてもよい。装置１４００は、図１８を参照して説明された例示的な方法、および場合によっては本明細書で開示された任意の他のプロセスまたは方法を実行するように動作可能である。図１８の方法は、必ずしも装置１４００によってのみ実行されるわけではないことも理解されるべきである。本方法の少なくともいくつかの操作は、１つ以上の他のエンティティによって実行することができる。
【０１３１】
仮想装置１４００は、１つ以上のマイクロプロセッサまたはマイクロコントローラ、ならびにデジタル信号プロセッサ（ＤＳＰ）、専用デジタルロジックを含むことができる他のデジタルハードウェアを含むことができる処理回路を備えることができる。処理回路は、読み出し専用メモリ（ＲＯＭ）、ランダムアクセスメモリ、キャッシュメモリ、フラッシュメモリデバイス、光記憶デバイスなどの１つまたはいくつかのタイプのメモリを含み得る、メモリに格納されたプログラムコードを実行するように構成され得る。メモリに格納されたプログラムコードは、いくつかの実施形態では１つ以上の電気通信および/またはデータ通信プロトコルを実行するためのプログラム命令、ならびに本明細書で説明される技法のうちの１つ以上を実行するための命令を含む。いくつかの実装形態では、処理回路は、送信ユニット１４０２、解放ユニット１４０４、および装置１４００の任意の他の適切なユニットに、本開示の１つ以上の実施形態による対応する機能を実行させるために使用され得る。
【０１３２】
図１９に図示されるように、装置１４００は、送信ユニット１４０２および解放ユニット１４０４を含む。特定の実施形態では例えば、送信ユニット１４０２は、ＳＰＳ解放が、セルのために設定されたＣＢＧフィードバックを有するセルに関連付けられるというインジケーションを無線デバイスに送信することができ、受信ユニット１４０４は、コードブックのＴＢベースのサブコードブック内で、ＳＰＳ解放に関連付けられた少なくとも１つのＨＡＲＱ−ＡＣＫビットを無線デバイスから受信することができる。
【０１３３】
ユニットという用語は、電子機器、電気デバイス、および/または電子デバイスの分野において従来の意味を有することができ、たとえば、本明細書で説明されるような、電気および/または電子回路、デバイス、モジュール、プロセッサ、メモリ、論理ソリッドステートおよび/またはディスクリートデバイス、それぞれのタスク、手順、計算、出力、および/または表示機能などを実行するためのコンピュータプログラムまたは命令を含むことができる。
【０１３４】
例示的な実施形態
実施形態１。セミパーシステントスケジューリング（ＳＰＳ）解放に関連付けられたハイブリッド自動再送要求確認応答（ＨＡＲＱ−ＡＣＫ）ビットを生成するための無線デバイスによる方法であって、前記方法は、
ＳＰＳ解放が、セルのために設定されたコードブックグループ（ＣＢＧ）フィードバックを有するセルに関連付けられていることを決定することと、
ＳＰＳ解放に関連付けられている少なくとも１つのＨＡＲＱ−ＡＣＫビットをコードブック内に配置することを含む。
【０１３５】
実施形態２。コードブックがＣＢＧベースのコードブックを含む、実施形態１の方法。
【０１３６】
実施形態３。サイズＮのビットマップを生成することをさらに含む、実施形態１〜２のいずれ１つの方法。
【０１３７】
実施形態４。ビットマップが、ＳＰＳ解放のステータスに関連付けられるＮ個の類似ビットを含む、実施形態１から３のいずれか１つの方法。
【０１３８】
実施形態５。ビットマップは長さＮの２つの異なるビットパターンを含み、該２つのパターンの各々は、ＳＰＳ解放の１つのステータスに関連付けられる、実施形態１から３のいずれか１つの方法。
【０１３９】
実施形態６。Ｎが、すべてのＣＢＧセルにわたってＣＢＧ内の設定された最大数のコードブロック（ＣＢ）を与える、実施形態５の方法。
【０１４０】
実施形態７。少なくとも１つのＣＢＧセルが４レイヤを超える多入力多出力（ＭＩＭＯ）をサポートするように構成され、方法は、Ｎ'ビットを生成することをさらに含み、ここで、Ｎ' = max_acrocss_CBG_cells(N_c*L_c)であり、Ｎ_ｃが上記であり、Ｌ_ｃ = １（最大４レイヤを有するＭＩＭＯのためのセルｃ構成）であり、Ｌｃ = ２（４を超えるレイヤを有するＭＩＭＯのためのセルｃ構成）である、実施形態１〜６のいずれか１つの方法。
【０１４１】
実施形態８。物理ダウンリンク制御チャネル（ＰＤＣＣＨ）に含まれる少なくとも１つのダウンリンク割り当てインジケータ（ＤＡＩ）値が、ＣＢＧコードブックに関連付けられる、実施形態１〜７のいずれか１つの方法。
【０１４２】
実施形態９。前記コードブックは、ＴＢベースのサブコードブックを含む、実施形態１の方法。
【０１４３】
実施形態１０。ＳＰＳ解放毎に少なくとも１つのＨＡＲＱ−ＡＣＫビットを生成することをさらに含む、実施形態１および９のいずれか１つの方法。
【０１４４】
実施形態１１。
無線デバイスが、集約されているＴＢベースのＨＡＲＱフィードバックセルのうちの少なくとも１つの上で４より多いレイヤを用いて構成されている場合、２つのＨＡＲＱ−ＡＣＫビットを生成し、
それ以外の場合、１つのＨＡＲＱ−ＡＣＫビットを生成することをさらに含む、実施形態１および９〜１０のいずれか１つの方法。
【０１４５】
実施形態１２。物理ダウンリンク制御チャネル（ＰＤＣＣＨ）に含まれるダウンリンク割り当てインジケータ（ＤＡＩ）値をＴＢベースＨＡＲＱコードブックに関連付けることをさらに含む、実施形態１および９から１１のいずれか１つの方法。
【０１４６】
実施形態１３。少なくとも１つのＨＡＲＱ−ＡＣＫビットは、予約ビットの設定されたおよび/または予め定義された値を含む、実施形態１の方法。
【０１４７】
実施形態１４。ＳＰＳ解放を示す物理ダウンリンク制御チャネル（ＰＤＣＣＨ）は、予約ビットにおけるＳＰＳ解放ステータスを含む、実施形態１および１３のいずれか１つの方法。
【０１４８】
実施形態１５。予約ビットよりも多くのＳＰＳ解放があるマッピング規則を取得することをさらに含む、実施形態１および１３から１４のいずれか１つの方法。
【０１４９】
実施形態１６。マッピング規則は、複数のＳＰＳ解放ステータスビットが一緒にバンドルされることを識別する、実施形態１５の方法。
【０１５０】
実施形態１７。前記マッピング規則は、ＳＰＳ解放を示すＰＤＣＣＨの数がビットフィールドのサイズに制限され得ることを示す、実施形態１５の方法。
【０１５１】
実施形態１８。チャネル状態情報（ＣＳＩ）をドロップして、少なくとも１つの欠落ダウンリンク（ＤＬ）検出によって生じる失われた物理アップリンク共有チャネル（ＰＵＳＣＨ）を回避することをさらに含む、実施形態１から１７のいずれか１つの方法。
【０１５２】
実施形態１９。コンピュータ上で実行されると、実施形態１〜１８の方法のいずれかを実行する命令を含むコンピュータプログラム。
【０１５３】
実施形態２０．コンピュータプログラムを含むコンピュータプログラム製品であって、コンピュータ上で実行されるとき、実施形態１から１８のいずれかの方法を実行する命令を含むコンピュータプログラム製品。
【０１５４】
実施形態２１。コンピュータによって実行されると、実施形態１〜１８の方法のいずれかを実行する命令を記憶する非一時的なコンピュータ可読媒体。
【０１５５】
実施形態２２。セミパーシステントスケジューリング（ＳＰＳ）解放に関連付けられたハイブリッド自動再送要求確認応答（ＨＡＲＱ−ＡＣＫ）ビットを生成するための無線デバイスであって、無線デバイスは、
ＳＰＳ解放が、セルのために設定されたコードブックグループ（ＣＢＧ）フィードバックを有するセルに関連付けられていることを決定し、
ＳＰＳ解放に関連付けられている少なくとも少なくとも１つのＨＡＲＱ−ＡＣＫビットをコードブック内に配置する、ように構成された処理回路を備える。
【０１５６】
実施形態２３。コードブックは、ＣＢＧベースのコードブックを含む、実施形態２２の無線デバイス。
【０１５７】
実施形態２４。処理回路は、サイズＮのビットマップを生成するようにさらに構成される、実施形態２２〜２３のいずれか１つの無線デバイス。
【０１５８】
実施形態２５。ビットマップは、ＳＰＳ解放のステータスに関連付けられたＮ個の類似ビットを含む、実施形態２２から２４のいずれか１つの無線デバイス。
【０１５９】
実施形態２６。ビットマップは長さＮの２つの異なるビットパターンを含み、２つのパターンの各々は、ＳＰＳ解放の１つのステータスに関連付けられる、実施形態２２から２４のいずれか１つの無線デバイス。
【０１６０】
実施形態２７。Ｎは、すべてのＣＢＧセルにわたってＣＢＧ内の構成された最大数のコードブロック（ＣＢ）を与える、実施形態２６の無線デバイス。
【０１６１】
実施形態２８。少なくとも１つのＣＢＧセルが４レイヤを超える多入力多出力（ＭＩＭＯ）をサポートするように構成され、方法は、Ｎ'ビットを生成することをさらに含み、ここで、Ｎ' = max_acrocss_CBG_cells(N_c*L_c)であり、Ｎ_ｃが上記であり、Ｌ_ｃ = １（最大４レイヤを有するＭＩＭＯのためのセルｃ構成）であり、Ｌｃ = ２（４を超えるレイヤを有するＭＩＭＯのためのセルｃ構成）である、実施形態２２から２７のいずれか１つの無線デバイス。
【０１６２】
実施形態２９。物理ダウンリンク制御チャネル（ＰＤＣＣＨ）に含まれる少なくとも１つのダウンリンク割り当てインジケータ（ＤＡＩ）値が、前記ＣＢＧコードブックに関連付けられる、実施形態２２〜２８のいずれか１つの無線デバイス。
【０１６３】
実施形態３０。コードブックは、ＴＢベースのサブコードブックを含む、実施形態２９の無線デバイス。
【０１６４】
実施形態３１。処理回路は、ＳＰＳ解放毎に少なくとも１つのＨＡＲＱ−ＡＣＫビットを生成するようにさらに構成される、実施形態２２および３０のいずれか１つの無線デバイス。
【０１６５】
実施形態３２。処理回路は、
無線デバイスが、集約されているＴＢベースのＨＡＲＱフィードバックセルのうちの少なくとも１つの上で４より多いレイヤを用いて構成されている場合、２つのＨＡＲＱ−ＡＣＫビットを生成し、
それ以外の場合、１つのＨＡＲＱ−ＡＣＫビットを生成するようにさらに構成される、実施形態２２および３０から３１のいずれか１つの無線デバイス。
【０１６６】
実施形態３３。処理回路は、物理ダウンリンク制御チャネル（ＰＤＣＣＨ）に含まれるダウンリンク割り当てインジケータ（ＤＡＩ）値をＴＢベースのＨＡＲＱコードブックに関連付けるように構成される、実施形態２２および３０〜３２のいずれか１つの無線デバイス。
【０１６７】
実施形態３４。少なくとも１つのＨＡＲＱ−ＡＣＫビットは、予約ビットの設定されたおよび/または予め定義された値を含む、実施形態２２の無線デバイス。
【０１６８】
実施形態３５。ＳＰＳ解放を示す物理ダウンリンク制御チャネル（ＰＤＣＣＨ）は、予約ビット内のＳＰＳ解放ステータスを含む、実施形態２２および３４のいずれか１つの無線デバイス。
【０１６９】
実施形態３６。処理回路は、予約ビットよりも多くのＳＰＳ解放があるマッピング規則を取得するように構成される、実施形態２２および３４から３５のいずれか１つの無線デバイス。
【０１７０】
実施形態３７。マッピング規則は、複数のＳＰＳ解放ステータスビットが一緒にバンドルされることを識別する、実施形態３６の無線デバイス。
【０１７１】
実施形態３８。マッピング規則は、ＳＰＳ解放を示すＰＤＣＣＨの数がビットフィールドのサイズに制限されてもよいことを示す、実施形態３６の無線デバイス。
【０１７２】
実施形態３９。処理回路は、チャネル状態情報（ＣＳＩ）をドロップして、少なくとも１つの欠落ダウンリンク（ＤＬ）検出によって生じる失われた物理アップリンク共有チャネル（ＰＵＳＣＨ）を回避するようにさらに構成される、実施形態２２から３８のいずれか１つの無線デバイス。
【０１７３】
2021536147.tif 000003
2021536147.tif 000004
2021536147.tif 000005
2021536147.tif 000006
2021536147.tif 000007
2021536147.tif 000008
2021536147.tif 000009
2021536147.tif 000010
2021536147.tif 000011
2021536147.tif 000012
2021536147.tif 000013
2021536147.tif 000014
2021536147.tif 000015
2021536147.tif 000016
2021536147.tif 000017
2021536147.tif 000018
2021536147.tif 000019
2021536147.tif 000020
2021536147.tif 000021
2021536147.tif 000022
2021536147.tif 000023
2021536147.tif 000024
2021536147.tif 000025
2021536147.tif 000026
【０１７４】
いくつかの実施形態ではコンピュータプログラム、コンピュータプログラム製品、またはコンピュータ可読記憶媒体はコンピュータ上で実行されると、本明細書で開示される実施形態のいずれかを実行する命令を含む。さらなる例では、命令が信号またはキャリア上で搬送され、コンピュータ上で実行可能であり、実行されると、本明細書で開示される実施形態のいずれかを実行する。
【０１７５】
本開示の範囲から逸脱することなく、本明細書に記載のシステムおよび装置に対して修正、追加、または省略を行ってもよい。システムおよび装置の構成要素は統合されても分離されてもよい。更に、システムおよび装置の動作は、より多い、より少ない、または他の構成要素によって実行されてもよい。更に、システムおよび装置の動作は、ソフトウェア、ハードウェア、および／または他の論理を含む任意の適切な論理を使用して実行してもよい。この文書で使用されているように、「それぞれ」とは、セットの各メンバーまたはセットのサブセットの各メンバーを指す。
【０１７６】
本開示の範囲から逸脱することなく、本明細書に記載の方法に対して修正、追加、または省略を行ってもよい。方法は、より多い、より少ない、または他のステップを含み得る。更に、ステップは任意の適切な順序で実行されてもよい。
【０１７７】
この開示はある実施形態に関して説明されてきたが、実施形態の変更および置換は当業者に明らかであろう。したがって、実施形態の上記の説明はこの開示を制限しない。添付の特許請求の範囲によって定義されるように、本開示の精神および範囲から逸脱することなく、他の変更、置換、および改変が可能である。
【０１７８】
本開示では、以下の略語の少なくともいくつかを使用することができる。略号間に不一致がある場合、それが上記でどのように使用されるかが優先されるべきである。以下に複数回列挙される場合、最初の列挙は、その後の任意の列挙よりも優先されるべきである。
【図１】
2021536147.tif 000027
【図２】
2021536147.tif 000028
【図３】
2021536147.tif 000029
【図４】
2021536147.tif 000030
【図５】
2021536147.tif 000031
【図６】
2021536147.tif 000032
【図７】
2021536147.tif 000033
【図８】
2021536147.tif 000034
【図９】
2021536147.tif 000035
【図１０】
2021536147.tif 000036
【図１１】
2021536147.tif 000037
【図１２】
2021536147.tif 000038
【図１３】
2021536147.tif 000039
【図１４】
2021536147.tif 000040
【図１５】
2021536147.tif 000041
【図１６】
2021536147.tif 000042
【図１７】
2021536147.tif 000043
【図１８】
2021536147.tif 000044
【図１９】
2021536147.tif 000045
【図２０】
2021536147.tif 000046
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
セミパーシステントスケジューリング（ＳＰＳ）解放に関連付けられるハイブリッド自動再送要求確認応答（ＨＡＲＱ−ＡＣＫ）ビットを生成するための無線デバイス（１１０）による方法であって、
ＳＰＳ解放が、セルにのために設定されたコードブックグループ（ＣＢＧ）フィードバックを有する前記セルに関連付けられていることを決定することと、ここで、前記ＣＢＧフィードバックはトランスポートブロックのコードブロックのグループごとのＨＡＲＱフィードバックであり、
前記ＳＰＳ解放に関連付けられている少なくとも１つのＨＡＲＱ−ＡＣＫビットを、コードブックのトランスポートブロックベースのサブコードブック内に配置することを含み、前記ＳＰＳ解放が、前記セルのために設定されたＣＢＧフィードバックを有する前記セルに関連付けられていることを決定することは、
ネットワークノード（１６０）から、前記セルためのＣＢＧフィードバックのために前記無線デバイスを設定する第１のメッセージを受信することと、
前記ネットワークノードから、前記ＳＰＳ解放が前記セルに関連付けられていることを示す第２のメッセージを受信することを含む、方法。
【請求項２】
前記コードブックは、前記コードブックのＣＢＧベースのサブコードブックをさらに含む、請求項１に記載の方法。
【請求項３】
ＳＰＳ解放毎に少なくとも１つのＨＡＲＱ−ＡＣＫビットを生成することをさらに含む、請求項１または２に記載の方法。
【請求項４】
前記ＳＰＳ解放に基づいて更新される、ダウンリンク割り当てインデックス（ＤＡＩ）をネットワークノードから受信することをさらに含む、請求項１から３のいずれか１項に記載の方法。
【請求項５】
物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けることをさらに含み、前記ＰＤＣＣＨは、前記ＳＰＳ解放を搬送するＰＤＣＣＨである、請求項１から４のいずれか１項に記載の方法。
【請求項６】
前記少なくとも１つのＨＡＲＱ−ＡＣＫビットは、予約ビットの設定されたおよび/または予め定義された値を含む、請求項１から５のいずれか１項に記載の方法。
【請求項７】
コンピュータ上で実行されると、請求項１から６のいずれか１項に記載の方法を実行する命令を含むコンピュータプログラム。
【請求項８】
コンピュータプログラムを含むコンピュータプログラム製品であって、前記コンピュータプログラムは、コンピュータ上で実行されると、請求項１から６のいずれか１項に記載の方法を実行する命令を含む、コンピュータプログラム製品。
【請求項９】
コンピュータによって実行されると、請求項１から６のいずれか１項の方法を実行する命令を記憶する非一時的なコンピュータ可読媒体。
【請求項１０】
セミパーシステントスケジューリング（ＳＰＳ）解放に関連付けられるハイブリッド自動再送要求確認応答（ＨＡＲＱ−ＡＣＫ）ビットを生成するための無線デバイス（１１０）であって、
ＳＰＳ解放が、セルにのために設定されたコードブックグループ（ＣＢＧ）フィードバックを有する前記セルに関連付けられていることを決定し、ここで、前記ＣＢＧフィードバックはトランスポートブロックのコードブロックのグループごとのＨＡＲＱフィードバックであり、
前記ＳＰＳ解放に関連付けられている少なくとも１つのＨＡＲＱ−ＡＣＫビットを、コードブックのトランスポートブロックベースのサブコードブック内に配置する、
ように構成された処理回路（１２０）を有し、前記ＳＰＳ解放が、前記セルのために設定されたＣＢＧフィードバックを有する前記セルに関連付けられていると決定するとき、前記処理回路は、
ネットワークノード（１６０）から、前記セルのためのＣＢＧフィードバックのために前記無線デバイスを設定する第１のメッセージを受信し、
前記ネットワークノードから、前記ＳＰＳ解放が前記セルに関連付けられていることを示す第２のメッセージを受信するように構成される、無線デバイス。
【請求項１１】
前記コードブックは、前記コードブックのＣＢＧベースのサブコードブックをさらに含む、請求項１０に記載の無線デバイス。
【請求項１２】
前記処理回路は、ＳＰＳ解放毎に少なくとも１つのＨＡＲＱ−ＡＣＫビットを生成するようにさらに構成される、請求項１０または１１に記載の無線デバイス。
【請求項１３】
前記処理回路は、前記ＳＰＳ解放に基づいて更新される、ダウンリンク割り当てインデックス（ＤＡＩ）をネットワークノードから受信するようにさらに構成される、請求項１０から１２のいずれか１項に記載の無線デバイス。
【請求項１４】
前記処理回路は、物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けるようにさらに構成され、前記ＰＤＣＣＨは、前記ＳＰＳ解放を搬送するＰＤＣＣＨである、請求項１０から１３のいずれか１項に記載の無線デバイス。
【請求項１５】
前記少なくとも１つのＨＡＲＱ−ＡＣＫビットは、予約ビットの設定されたおよび/または予め定義された値を含む、請求項１０から１４のいずれか１項に記載の無線デバイス。
【請求項１６】
セミパーシステントスケジューリング（ＳＰＳ）解放に関連付けられたハイブリッド自動再送要求確認応答（ＨＡＲＱ−ＡＣＫ）ビットを受信するためのネットワークノード（１６０）による方法であって、
セルのためのコードブックグループ（ＣＢＧ）フィードバックのために無線デバイスを設定する第１のメッセージを無線デバイス（１１０）に送信することと、ここで、前記ＣＢＧフィードバックはトランスポートブロックのコードブロックのグループごとのＨＡＲＱフィードバックであり、
前記ＳＰＳ解放が前記セルに関連付けられていることを示す第２のメッセージを前記無線デバイスに送信することと、
前記無線デバイスから、コードブックのＴＢベースのサブコードブック内で前記ＳＰＳ解放に関連付けられている少なくとも１つのＨＡＲＱ−ＡＣＫビットを受信することを含む、方法。
【請求項１７】
前記コードブックは、前記コードブックのＣＢＧベースのサブコードブックをさらに含む、請求項１６に記載の方法。
【請求項１８】
前記少なくとも１つのＨＡＲＱ−ＡＣＫビットは、ＳＰＳ解放毎である、請求項１６または１７に記載の方法。
【請求項１９】
前記ＳＰＳ解放のインジケーションと共に、前記ＳＰＳ解放に基づいて更新される、ダウンリンク割り当てインデックス（ＤＡＩ）を無線デバイスに送信することをさらに含む、請求項１６から１８のいずれか１項に記載の方法。
【請求項２０】
物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けることをさらに含む、請求項１６から１９のいずれか１項に記載の方法。
【請求項２１】
前記少なくとも１つのＨＡＲＱ−ＡＣＫビットは、予約ビットの設定されたおよび/または予め定義された値を含む、請求項１６から２０のいずれか１項に記載の方法。
【請求項２２】
コンピュータ上で実行されると、請求項１６から２１のいずれか１項に記載の方法を実行する命令を含むコンピュータプログラム。
【請求項２３】
コンピュータプログラムを含むコンピュータプログラム製品であって、前記コンピュータプログラムは、コンピュータ上で実行されると、請求項１６から２１のいずれか１項に記載の方法を実行する命令を含む、コンピュータプログラム製品。
【請求項２４】
コンピュータによって実行されると、請求項１６から２１のいずれか１項に記載の方法のいずれかを実行する命令を記憶する非一時的なコンピュータ可読媒体。
【請求項２５】
セミパーシステントスケジューリング（ＳＰＳ）解放に関連付けられたハイブリッド自動再送要求確認応答（ＨＡＲＱ−ＡＣＫ）ビットを受信するためのネットワークノード（１６０）であって、
セルのためのコードブックグループ（ＣＢＧ）フィードバックのために無線デバイスを設定する第１のメッセージを無線デバイス（１１０）に送信し、ここで、前記ＣＢＧフィードバックはトランスポートブロックのコードブロックのグループごとのＨＡＲＱフィードバックであり、
前記ＳＰＳ解放が前記セルに関連付けられていることを示す第２のメッセージを前記無線デバイスに送信し、
前記無線デバイスから、コードブックのＴＢベースのサブコードブック内で前記ＳＰＳ解放に関連付けられている少なくとも１つのＨＡＲＱ−ＡＣＫビットを受信する、
ように構成された処理回路（１７０）を有する、ネットワークノード。
【請求項２６】
前記コードブックは、前記コードブックのＣＢＧベースのサブコードブックをさらに含む、請求項２５に記載のネットワークノード。
【請求項２７】
前記少なくとも１つのＨＡＲＱ−ＡＣＫビットは、ＳＰＳ解放毎である、請求項２５または２６に記載のネットワークノード。
【請求項２８】
前記処理回路は、前記ＳＰＳ解放のインジケーションと共に、前記ＳＰＳ解放に基づいて更新される、ダウンリンク割り当てインデックス（ＤＡＩ）を無線デバイスに送信するように構成される、請求項２５から２７のいずれか１項に記載のネットワークノード。
【請求項２９】
前記処理回路は、物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けるように構成される、請求項２５から２８のいずれか１項に記載のネットワークノード。
【請求項３０】
前記少なくとも１つのＨＡＲＱ−ＡＣＫビットは、予約ビットの設定されたおよび/または予め定義された値を含む、請求項２５から２９のいずれか一項に記載のネットワークノード。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
セミパーシステントスケジューリング（ＳＰＳ）解放に関連付けられるハイブリッド自動再送要求確認応答（ＨＡＲＱ−ＡＣＫ）ビットを生成するための無線デバイス（１１０）による方法であって、
ＳＰＳ解放が、セルにのために設定されたコードブックグループ（ＣＢＧ）フィードバックを有する前記セルに関連付けられていることを決定することと、ここで、前記ＣＢＧフィードバックはトランスポートブロック（ＴＢ）のコードブロックのグループごとのＨＡＲＱフィードバックであり、
前記ＳＰＳ解放に関連付けられている少なくとも１つのＨＡＲＱ−ＡＣＫビットを、コードブックのＴＢベースのサブコードブック内に配置することを含み、前記ＳＰＳ解放が、前記セルのために設定されたＣＢＧフィードバックを有する前記セルに関連付けられていることを決定することは、
ネットワークノード（１６０）から、前記セルためのＣＢＧフィードバックのために前記無線デバイスを設定する第１のメッセージを受信することと、
前記ネットワークノードから、前記ＳＰＳ解放が前記セルに関連付けられていることを示す第２のメッセージを受信することを含む、方法。
【請求項２】
前記コードブックは、前記コードブックのＣＢＧベースのサブコードブックをさらに含む、請求項１に記載の方法。
【請求項３】
ＳＰＳ解放毎に少なくとも１つのＨＡＲＱ−ＡＣＫビットを生成することをさらに含む、請求項１または２に記載の方法。
【請求項４】
前記ＳＰＳ解放に基づいて更新される、ダウンリンク割り当てインデックス（ＤＡＩ）をネットワークノードから受信することをさらに含む、請求項１から３のいずれか１項に記載の方法。
【請求項５】
物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けることをさらに含み、前記ＰＤＣＣＨは、前記ＳＰＳ解放を搬送するＰＤＣＣＨである、請求項１から４のいずれか１項に記載の方法。
【請求項６】
前記少なくとも１つのＨＡＲＱ−ＡＣＫビットは、予約ビットの設定されたおよび/または予め定義された値を含む、請求項１から５のいずれか１項に記載の方法。
【請求項７】
セミパーシステントスケジューリング（ＳＰＳ）解放に関連付けられるハイブリッド自動再送要求確認応答（ＨＡＲＱ−ＡＣＫ）ビットを生成するための無線デバイス（１１０）であって、
ＳＰＳ解放が、セルにのために設定されたコードブックグループ（ＣＢＧ）フィードバックを有する前記セルに関連付けられていることを決定し、ここで、前記ＣＢＧフィードバックはトランスポートブロック（ＴＢ）のコードブロックのグループごとのＨＡＲＱフィードバックであり、
前記ＳＰＳ解放に関連付けられている少なくとも１つのＨＡＲＱ−ＡＣＫビットを、コードブックのＴＢベースのサブコードブック内に配置する、
ように構成された処理回路（１２０）を有し、前記ＳＰＳ解放が、前記セルのために設定されたＣＢＧフィードバックを有する前記セルに関連付けられていると決定するとき、前記処理回路は、
ネットワークノード（１６０）から、前記セルのためのＣＢＧフィードバックのために前記無線デバイスを設定する第１のメッセージを受信し、
前記ネットワークノードから、前記ＳＰＳ解放が前記セルに関連付けられていることを示す第２のメッセージを受信するように構成される、無線デバイス。
【請求項８】
前記コードブックは、前記コードブックのＣＢＧベースのサブコードブックをさらに含む、請求項７に記載の無線デバイス。
【請求項９】
前記処理回路は、ＳＰＳ解放毎に少なくとも１つのＨＡＲＱ−ＡＣＫビットを生成するようにさらに構成される、請求項７または８に記載の無線デバイス。
【請求項１０】
前記処理回路は、前記ＳＰＳ解放に基づいて更新される、ダウンリンク割り当てインデックス（ＤＡＩ）をネットワークノードから受信するようにさらに構成される、請求項７から９のいずれか１項に記載の無線デバイス。
【請求項１１】
前記処理回路は、物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けるようにさらに構成され、前記ＰＤＣＣＨは、前記ＳＰＳ解放を搬送するＰＤＣＣＨである、請求項７から１０のいずれか１項に記載の無線デバイス。
【請求項１２】
前記少なくとも１つのＨＡＲＱ−ＡＣＫビットは、予約ビットの設定されたおよび/または予め定義された値を含む、請求項７から１１のいずれか１項に記載の無線デバイス。
【請求項１３】
セミパーシステントスケジューリング（ＳＰＳ）解放に関連付けられたハイブリッド自動再送要求確認応答（ＨＡＲＱ−ＡＣＫ）ビットを受信するためのネットワークノード（１６０）による方法であって、
セルのためのコードブックグループ（ＣＢＧ）フィードバックのために無線デバイスを設定する第１のメッセージを無線デバイス（１１０）に送信することと、ここで、前記ＣＢＧフィードバックはトランスポートブロック（ＴＢ）のコードブロックのグループごとのＨＡＲＱフィードバックであり、
前記ＳＰＳ解放が前記セルに関連付けられていることを示す第２のメッセージを前記無線デバイスに送信することと、
前記無線デバイスから、コードブックのＴＢベースのサブコードブック内で前記ＳＰＳ解放に関連付けられている少なくとも１つのＨＡＲＱ−ＡＣＫビットを受信することを含む、方法。
【請求項１４】
前記コードブックは、前記コードブックのＣＢＧベースのサブコードブックをさらに含む、請求項１３に記載の方法。
【請求項１５】
前記少なくとも１つのＨＡＲＱ−ＡＣＫビットは、ＳＰＳ解放毎である、請求項１３または１４に記載の方法。
【請求項１６】
前記ＳＰＳ解放のインジケーションと共に、前記ＳＰＳ解放に基づいて更新される、ダウンリンク割り当てインデックス（ＤＡＩ）を無線デバイスに送信することをさらに含む、請求項１３から１５のいずれか１項に記載の方法。
【請求項１７】
物理ダウンリンク制御チャネル（ＰＤＣＣＨ）に含まれる少なくとも１つのダウンリンク割り当てインジケータ（ＤＡＩ）値を、前記コードブックの前記ＴＢベースのＨＡＲＱサブコードブックに関連付けることをさらに含む、請求項１３から１６のいずれか１項に記載の方法。
【請求項１８】
前記少なくとも１つのＨＡＲＱ−ＡＣＫビットは、予約ビットの設定されたおよび/または予め定義された値を含む、請求項１３から１７のいずれか１項に記載の方法。
【請求項１９】
セミパーシステントスケジューリング（ＳＰＳ）解放に関連付けられたハイブリッド自動再送要求確認応答（ＨＡＲＱ−ＡＣＫ）ビットを受信するためのネットワークノード（１６０）であって、
セルのためのコードブックグループ（ＣＢＧ）フィードバックのために無線デバイスを設定する第１のメッセージを無線デバイス（１１０）に送信し、ここで、前記ＣＢＧフィードバックはトランスポートブロック（ＴＢ）のコードブロックのグループごとのＨＡＲＱフィードバックであり、
前記ＳＰＳ解放が前記セルに関連付けられていることを示す第２のメッセージを前記無線デバイスに送信し、
前記無線デバイスから、コードブックのＴＢベースのサブコードブック内で前記ＳＰＳ解放に関連付けられている少なくとも１つのＨＡＲＱ−ＡＣＫビットを受信する、
ように構成された処理回路（１７０）を有する、ネットワークノード。
【請求項２０】
前記コードブックは、前記コードブックのＣＢＧベースのサブコードブックをさらに含む、請求項１９に記載のネットワークノード。
【請求項２１】
前記少なくとも１つのＨＡＲＱ−ＡＣＫビットは、ＳＰＳ解放毎である、請求項１９または２０に記載のネットワークノード。
【請求項２２】
前記処理回路は、前記ＳＰＳ解放のインジケーションと共に、前記ＳＰＳ解放に基づいて更新される、ダウンリンク割り当てインデックス（ＤＡＩ）を無線デバイスに送信するように構成される、請求項１９から２１のいずれか１項に記載のネットワークノード。
【国際調査報告】
2021536147.tif 000047
2021536147.tif 000048
2021536147.tif 000049